(57)【特許請求の範囲】
【請求項１】
ユーザ装置（１３）への接続のソースセル（１２）からターゲットセル識別子と関連するターゲットセル（１１）へのハンドオーバを可能にするためのターゲット無線基地局（１４）における方法であって、前記ソースセル（１２）はソース無線基地局（１５）によってサービスされ、前記ターゲットセル（１１）は前記ターゲット無線基地局（１４）によってサービスされ、前記ターゲット無線基地局（１４）と前記ソース無線基地局（１５）とは無線通信ネットワーク（１００）に含まれ、前記ターゲット無線基地局（１４）はネットワークノード識別子に関連するゲートウェイノード（１６）へ接続するのに適しており、前記ゲートウェイノード（１６）はコアネットワーク（１７）に対して及び前記ソース無線基地局（１５）に対して前記ターゲット無線基地局（１４）のプロキシとして動作し、前記方法は、
前記ユーザ装置（１３）への無線チャネルにより前記ターゲットセル（１１）内で前記ターゲットセル識別子とマスクとを周期的にブロードキャストするステップ（１０５０）であって、前記ターゲットセル識別子は該ターゲットセル識別子に埋め込まれた前記ゲートウェイノード（１６）の前記ネットワークノード識別子を含み、前記マスクは前記ターゲットセル識別子から前記ネットワークノード識別子を導出するために使用される、ブロードキャストする前記ステップ（１０５０）
を含むことを特徴とする方法。
【請求項２】
前記コアネットワーク（１７）、前記ゲートウェイノード（１６）又は運用及び保守ノードから、前記ターゲットセル識別子と前記マスクとを含む構成データを受信するステップ（１０１０）を更に含むことを特徴とする請求項１に記載の方法。
【請求項３】
隣接セルを検出するステップ（１０２０）と、
隣接セル識別子を導出するステップ（１０３０）と、
前記隣接セル識別子を前記ゲートウェイノード（１６）に報告するステップ（１０４０）と、
を更に含み、
前記ゲートウェイノード（１６）は、前記報告に基づいて、無線アクセスネットワークサブシステム間接続の確立の実行と接続要求／応答メッセージに含まれるサービスされているセルの個数の制限との少なくとも一方が可能になることを特徴とする請求項１又は２に記載の方法。
【請求項４】
前記ターゲットセル識別子は、前記ターゲットセル（１１）のエボルブドユニバーサル地上無線アクセスネットワーク・セルグローバル識別子を含むことを特徴とする請求項１乃至３の何れか一項に記載の方法。
【請求項５】
前記マスクは、整数またはビット列のマスクの形で搬送されることを特徴とする請求項１乃至４の何れか一項に記載の方法。
【請求項６】
ユーザ装置（１３）への接続のソースセル（１２）からターゲットセル識別子と関連するターゲットセル（１１）へのハンドオーバを可能にするための前記ユーザ装置（１３）における方法であって、前記ソースセル（１２）はソース無線基地局（１５）によってサービスされ、前記ターゲットセル（１１）はターゲット無線基地局（１４）によってサービスされ、前記ターゲット無線基地局（１４）と前記ソース無線基地局（１５）とは無線通信ネットワーク（１００）に含まれ、前記ターゲット無線基地局（１４）はネットワークノード識別子に関連するゲートウェイノード（１６）へ接続するのに適しており、前記ゲートウェイノード（１６）はコアネットワーク（１７）に対して及び前記ソース無線基地局（１５）に対して前記ターゲット無線基地局（１４）のプロキシとして動作し、前記方法は、
前記ターゲット無線基地局（１４）からの無線チャネルにより前記ターゲットセル（１１）内でブロードキャストされた前記ターゲットセル識別子とマスクとを受信するステップ（１２１０）であって、前記ターゲットセル識別子は該ターゲットセル識別子に埋め込まれた前記ゲートウェイノード（１６）の前記ネットワークノード識別子を含み、前記マスクは前記ターゲットセル識別子から前記ネットワークノード識別子を導出するために使用される、受信する前記ステップ（１２１０）と、
前記ターゲットセル識別子と前記マスクとを前記ソース無線基地局（１５）に送信するステップ（１２２０）であって、それにより、前記ソース無線基地局（１５）は、前記ターゲット無線基地局（１４）が属する前記ゲートウェイノード（１６）の識別が可能になる、送信する前記ステップ（１２２０）と、
を含むことを特徴とする方法。
【請求項７】
ユーザ装置（１３）への接続のソースセル（１２）からターゲットセル識別子と関連するターゲットセル（１１）へのハンドオーバを開始するためのソース無線基地局（１５）における方法であって、前記ソースセル（１２）は前記ソース無線基地局（１５）によってサービスされ、前記ターゲットセル（１１）はターゲット無線基地局（１４）によってサービスされ、前記ターゲット無線基地局（１４）と前記ソース無線基地局（１５）とは無線通信ネットワーク（１００）に含まれ、前記ターゲット無線基地局（１４）はネットワークノード識別子に関連するゲートウェイノード（１６）へ接続するのに適しており、前記ゲートウェイノード（１６）はコアネットワーク（１７）に対して及び前記ソース無線基地局（１５）に対して前記ターゲット無線基地局（１４）のプロキシとして動作し、前記方法は、
前記ユーザ装置（１３）からの無線チャネルにより前記ターゲットセル識別子とマスクとを受信するステップ（１４１０）であって、前記ターゲットセル識別子は該ターゲットセル識別子に埋め込まれた前記ゲートウェイノード（１６）の前記ネットワークノード識別子を含み、前記マスクは前記ターゲットセル識別子から前記ネットワークノード識別子を導出するために使用される、受信するステップ（１４１０）と、
前記マスクを使用して前記ターゲットセル識別子に埋め込まれた前記ネットワークノード識別子を導出するステップ（１４２０）と、
前記導出された前記ネットワークノード識別子に基づいて、前記ユーザ装置（１３）への前記接続の前記ソースセル（１２）から前記ターゲットセル（１１）への前記ハンドオーバを開始するステップ（１４３０）と、
を含むことを特徴とする方法。
【請求項８】
前記導出された前記ネットワークノード識別子を使用している前記ゲートウェイノード（１６）に接続するステップ（１４４０）を更に含むことを特徴とする請求項７に記載の方法。
【請求項９】
接続する前記ステップ（１４４０）は、前記ゲートウェイノード（１６）への無線アクセスネットワークサブシステム間接続を確立するステップ（１４４２）を含むことを特徴とする請求項８に記載の方法。
【請求項１０】
前記無線アクセスネットワークサブシステム間接続を確立する前記ステップ（１４４２）は、前記ネットワークノード識別子と前記無線アクセスネットワークサブシステム間接続との関連付けを含むことを特徴とする請求項９に記載の方法。
【請求項１１】
前記無線アクセスネットワークサブシステム間接続を確立する前記ステップ（１４４２）は、
前記ゲートウェイノード（１６）から前記ターゲットセル（１１）の隣接セルの隣接セル識別子を受信するステップ（１４４３）と、
前記隣接セル識別子と前記無線アクセスネットワークサブシステム間接続とを関連付けるステップ（１４４４）と、
を含むことを特徴とする請求項９に記載の方法。
【請求項１２】
接続する前記ステップ（１４４０）は、以前に確立した前記ゲートウェイノード（１６）への無線アクセスネットワークサブシステム間接続を選択するステップ（１４４５）を含むことを特徴とする請求項８に記載の方法。
【請求項１３】
選択する前記ステップ（１４４５）は、前記ユーザ装置（１３）から受信した前記ターゲットセル識別子と前記マスクとの両方を使用して前記ネットワークノード識別子の最長一致を発見することにより、前記以前に確立した無線アクセスネットワークサブシステム間接続に関連する以前のネットワークノード識別子と前記ネットワークノード識別子とをマッチさせるステップ（１４４６）を含むことを特徴とする請求項１２に記載の方法。
【請求項１４】
以前のセル識別子は前記以前に確立した無線アクセスネットワークサブシステム間接続に関連し、
選択する前記ステップ（１４４５）は、前記ユーザ装置（１３）から受信した前記ターゲットセル識別子と前記以前に確立した無線アクセスネットワークサブシステム間接続に関連する前記以前のセル識別子とをマッチさせるステップ（１４４７）を含む
ことを特徴とする請求項１２に記載の方法。
【請求項１５】
開始する前記ステップ（１４３０）は、ハンドオーバ要求をコアネットワークノードに送信するステップを含み、該ハンドオーバ要求のメッセージは要求されたターゲット識別子として前記ネットワークノード識別子を含むことを特徴とする請求項７乃至１４の何れか一項に記載の方法。
【請求項１６】
クエリに応答してドメインネームシステムから前記ネットワークノード識別子から解決された前記ゲートウェイノードのＩＰアドレスを検索するステップを更に含み、前記ＩＰアドレスは前記無線アクセスネットワークサブシステム間接続を確立するために使用されることを特徴とする請求項７乃至１５の何れか一項に記載の方法。
【請求項１７】
前記無線アクセスネットワークサブシステム間接続はＸ２インタフェース、Ｉｕｂ／Ｉｕｒインタフェース又は類似のインタフェースを含むことを特徴とする請求項７乃至１６の何れか一項に記載の方法。
【請求項１８】
ユーザ装置（１３）への接続のソースセル（１２）からターゲットセル識別子と関連するターゲットセル（１１）へのハンドオーバを可能にするためのターゲット無線基地局（１４）であって、前記ソースセル（１２）はソース無線基地局（１５）によってサービスされ、前記ターゲットセル（１１）は前記ターゲット無線基地局（１４）によってサービスされ、前記ターゲット無線基地局（１４）と前記ソース無線基地局（１５）とは無線通信ネットワーク（１００）に含まれ、前記ターゲット無線基地局（１４）はネットワークノード識別子に関連するゲートウェイノード（１６）へ接続するのに適しており、前記ゲートウェイノード（１６）はコアネットワーク（１７）に対して及び前記ソース無線基地局（１５）に対して前記ターゲット無線基地局（１４）のプロキシとして動作し、前記ターゲット無線基地局（１４）は、
前記ユーザ装置（１３）への無線チャネルにより前記ターゲットセル（１１）内で前記ターゲットセル識別子とマスクとを周期的にブロードキャストするように構成されたブロードキャストユニット（１１０１）であって、前記ターゲットセル識別子は該ターゲットセル識別子に埋め込まれた前記ゲートウェイノード（１６）の前記ネットワークノード識別子を含み、前記マスクは前記ターゲットセル識別子から前記ネットワークノード識別子を導出するために使用される、前記ブロードキャストユニット（１１０１）
を備えることを特徴とするターゲット無線基地局。
【請求項１９】
ユーザ装置（１３）への接続のソースセル（１２）からターゲットセル識別子と関連するターゲットセル（１１）へのハンドオーバを可能にするための前記ユーザ装置（１３）であって、前記ソースセル（１２）はソース無線基地局（１５）によってサービスされ、前記ターゲットセル（１１）はターゲット無線基地局（１４）によってサービスされ、前記ターゲット無線基地局（１４）と前記ソース無線基地局（１５）とは無線通信ネットワーク（１００）に含まれ、前記ターゲット無線基地局（１４）はネットワークノード識別子に関連するゲートウェイノード（１６）へ接続するのに適しており、前記ゲートウェイノード（１６）はコアネットワーク（１７）に対して及び前記ソース無線基地局（１５）に対して前記ターゲット無線基地局（１４）のプロキシとして動作し、前記ユーザ装置（１３）は、
前記ターゲット無線基地局（１４）からの無線チャネルにより前記ターゲットセル（１１）内でブロードキャストされた前記ターゲットセル識別子とマスクとを受信するように構成された受信ユニット（１３０１）であって、前記ターゲットセル識別子は該ターゲットセル識別子に埋め込まれた前記ゲートウェイノード（１６）の前記ネットワークノード識別子を含み、前記マスクは前記ターゲットセル識別子から前記ネットワークノード識別子を導出するために使用される、前記受信ユニット（１３０１）と、
前記ターゲットセル識別子と前記マスクとを前記ソース無線基地局（１５）に送信するように構成された送信ユニット（１３０２）であって、それにより、前記ソース無線基地局（１５）は、前記ターゲット無線基地局（１４）が属する前記ゲートウェイノード（１６）の識別が可能になる、前記送信ユニット（１３０２）と、
を備えることを特徴とするユーザ装置。
【請求項２０】
ユーザ装置（１３）への接続のソースセル（１２）からターゲットセル識別子と関連するターゲットセル（１１）へのハンドオーバを開始するためのソース無線基地局（１５）であって、前記ソースセル（１２）は前記ソース無線基地局（１５）によってサービスされ、前記ターゲットセル（１１）はターゲット無線基地局（１４）によってサービスされ、前記ターゲット無線基地局（１４）と前記ソース無線基地局（１５）とは無線通信ネットワーク（１００）に含まれ、前記ターゲット無線基地局（１４）はネットワークノード識別子に関連するゲートウェイノード（１６）へ接続するのに適しており、前記ゲートウェイノード（１６）はコアネットワーク（１７）に対して及び前記ソース無線基地局（１５）に対して前記ターゲット無線基地局（１４）のプロキシとして動作し、前記ソース無線基地局（１５）は、
前記ユーザ装置（１３）からの無線チャネルにより前記ターゲットセル識別子とマスクとを受信するように構成された受信ユニット（１５０１）であって、前記ターゲットセル識別子は該ターゲットセル識別子に埋め込まれた前記ゲートウェイノード（１６）の前記ネットワークノード識別子を含み、前記マスクは前記ターゲットセル識別子から前記ネットワークノード識別子を導出するために使用される、前記受信ユニット（１５０１）と、
前記マスクを使用して前記ターゲットセル識別子に埋め込まれた前記ネットワークノード識別子を導出するように構成された導出ユニット（１５０２）と、
前記導出された前記ネットワークノード識別子に基づいて、前記ユーザ装置（１３）への前記接続の前記ソースセル（１２）から前記ターゲットセル（１１）への前記ハンドオーバを開始するように構成された開始ユニット（１５０３）と、
を備えることを特徴とするソース無線基地局。
【発明の詳細な説明】
【技術分野】
【０００１】
本発明は、ターゲット無線基地局、ターゲット無線基地局における方法、ソース無線基地局、ソース無線基地局における方法、ユーザ装置、およびユーザ装置における方法、特に、ソースセルからターゲットセルへの、ユーザ装置に対する接続のハンドオーバを可能にするためのこれらの事項に関する。
【背景技術】
【０００２】
次世代の無線アクセスネットワーク（ＲＡＮ）であるエボルブドユニバーサル地上無線アクセスネットワーク（Ｅ−ＵＴＲＡＮ）に対する仕様化は３ＧＰＰにおいて現在進行中である。本資料の中で使用するＥ−ＵＴＲＡＮに対する別の名称は、ロングターム・エボリューション（ＬＴＥ）ＲＡＮである。Ｅ−ＵＴＲＡＮが接続されるコアネットワークは、エボルブド・パケットコア（ＥＰＣ）ネットワークと呼ばれる（更に別名でシステムアーキテクチャ・エボリューション（ＳＡＥ）ネットワークとも呼ばれる）。Ｅ−ＵＴＲＡＮおよびＥＰＣの双方はともに、ＳＡＥ／ＬＴＥネットワークとして知られるエボルブドパケットシステム（ＥＰＳ）を備える。この概念での基地局は、Ｅ−ＵＴＲＡＮノードＢ（ｅＮｏｄｅＢまたはｅＮＢ）と呼ばれる。現在進行中の仕様化はまた、限定された数のユーザに対して家庭エリア、または小さなエリアのカバレッジを提供するＥ−ＵＴＲＡＮ基地局を設備する可能性も含む。この基地局は、３ＧＰＰおよびこの資料の中では、ホームＥ−ＵＴＲＡＮノードＢ（ＨｅＮＢ）と呼ぶ。この型の基地局に対する他の名称は、ＬＴＥホームアクセスポイント（ＬＴＥ  ＨＡＰ）およびＬＴＥフェムトアクセスポイント（ＬＴＥ  ＦＡＰ）である。
【０００３】
ＨｅＮＢは、エンドユーザに対して正規のカバレッジを提供するであろう。そして、ＩＰに基づいたいくつかの種類の伝送技術を使用して、移動コアネットワークに接続されるであろう。提供されるカバレッジは、通常は限定された小さなサイズのカバレッジエリアなので、この資料の中ではフェムトセルと呼ぶ。
【０００４】
無線ローカルアクセスを提供するこの新しい概念の主要な駆動力の１つは、ｅＮＢを介して接続する場合と比較して、ＨｅＮＢを介して接続する場合の方が比較的安い呼またはトランザクションレート／料金を提供できるという点である。
【０００５】
多くの場合には、ＨｅＮＢは、エンドユーザが既に有している広帯域接続（例えばｘＤＳＬまたはケーブル）を使用して、事業者の移動コアネットワーク（ＣＮ）、および、恐らくは他のｅＮＢ／ＨｅＮＢへの接続を達成するであろう。これらの広帯域接続および他の可能な中間ＩＰネットワーク（例えばインターネットの中の）を通して、ＨｅＮＢは、事業者のネットワークの中のコアネットワークノードと、ＩＰｓｅｃトンネル（ＲＦＣ４３０１に従えば、インターネットプロトコルセキュリティアーキテクチャ）を介して通信する。ＩＰｓｅｃトンネルは、ＨｅＮＢとセキュリティゲートウェイ（ＳＥＧＷ）との間に確立され、セキュリティゲートウェイは、事業者のネットワークの境界を保護する。
【０００６】
ＬＴＥ  ＲＡＮアーキテクチャの中では、ｅＮＢはマクロセルにサービスを提供し、ＨｅＮＢはフェムトセルにサービスを提供する。ｅＮＢおよびＨｅＮＢは、ＣＮに対してＬＴＥ  ＲＡＮインタフェースＳ１を有し、ＬＴＥ  ＲＡＮアーキテクチャは、ｅＮＢの間にはＸ２インタフェースを備える。ＨｅＮＢとＣＮとの間には、ＨｅＮＢコンセントレータノード（ＨｅＮＢゲートウェイ（ＨｅＮＢ  ＧＷ）と呼ぶこともできる）を備えることもできる。少なくともいくつかの構成では、セキュリティゲートウェイ（ＳＥＧＷ）は、論理的にＨｅＮＢとＨｅＮＢ  ＧＷとの間に設置することができ、ＨｅＮＢからのＩＰｓｅｃトンネルを終端する役割を果たすことができる。ＨｅＮＢとＣＮとの間にＨｅＮＢ  ＧＷを有する主要な理由は以下の通りである。
１．１つのネットワークの中に仮定されるＨｅＮＢの数は、非常に多い。１つの推定としては数１００万ものＨｅＮＢである。
２．エンドユーザは高い頻度でＨｅＮＢをスイッチオン／オフすることができ、これにより、シグナリング負荷の増加が引き起こされる。
３．ＨｅＮＢは改ざんされる可能性がある（例えば悪意あるまたは変更したソフトウェアで）。
【０００７】
第１の問題点は、ＣＮ側におけるスケーリングの問題を引き起こす可能性がある。これは、各ＨｅＮＢは自分自身のＳ１インタフェースを有するであろうと考えられ、また移動管理エンティティ（ＭＭＥ）は何１００万ものＳ１インタフェースを扱う能力がないと仮定されているからである。従って、ＨｅＮＢ  ＧＷの１つの目的はこの多くの数のＨｅＮＢをＣＮから隠すことである。
【０００８】
第２の問題点は、ＣＮ側におけるシグナリング負荷の問題を引き起こす可能性がある。そして、これは主としてＭＭＥで生ずる。これは、ＨｅＮＢのＳ１インタフェースが高い頻度で接続が切断されたり再接続されたりするからである。
【０００９】
第３の問題点は、ＭＭＥおよびサービングＧＷの双方の側でセキュリティの問題を引き起こす可能性がある。これは、事業者のネットワークのセキュリティゲートウェイに対してＩＰｓｅｃトンネルを確立することができるいずれのＨｅＮＢも、これらのノードを攻撃することができるからである。
【００１０】
ＨｅＮＢ  ＧＷは、ＣＮに向けられた、これらのスケーリング、シグナリング負荷、およびセキュリティの問題点を解決する必要がある。ＨｅＮＢ  ＧＷは、ＨｅＮＢ  ＧＷに接続された全てのＨｅＮＢに対してｅＮＢプロキシとして動作するであろう。ＨｅＮＢ  ＧＷは、Ｓ１インタフェースを通してＣＮから見ると、多くのセルを持つ１つのｅＮＢのように見えるであろう。ＨｅＮＢの観点からすると、ＨｅＮＢ  ＧＷは、ＣＮのように見えるであろう。そして、Ｓ１インタフェースに対しても、恐らくはいくつかの追加または変更が加えられるであろう。
【００１１】
１つのＨｅＮＢ  ＧＷに接続されるＨｅＮＢの数は、数万（または１０万程度）に達する可能性があり、全ネットワークでＨｅＮＢ  ＧＷの数は数１０（または１０程度）を超えてはならないので、全ネットワークでは１００万程度のＨｅＮＢの数になる。従って、ＨｅＮＢ  ＧＷ（ｅＮＢプロキシ）によって「サービスが提供される」フェムトセルの数は、１つのＨｅＮＢが平均として数個（２程度）のフェムトセルにサービスを提供すると仮定すれば、最大として数１０万（２０万程度）になることになる。
【００１２】
ｅＮＢはそのｅＮＢ−ＩＤによって識別される。ｅＮＢ−ＩＤはまた、システムの中の各ＨｅＮＢにも割り当てられる。ＨｅＮＢ  ＧＷはｅＮＢプロキシとして動作するべきであるので、ＨｅＮＢ  ＧＷもまたｅＮＢ−ＩＤが割り当てられるであろう。
【００１３】
いずれのＬＴＥセルも、ＰＬＭＮにおいてはそのＥ−ＵＴＲＡＮセルグローバル識別子（Ｅ−ＣＧＩ）によって識別され、Ｅ−ＣＧＩはシステム情報の一部としてＬＴＥセルの中でブロードキャストされる。Ｅ−ＣＧＩは以下のＩＤの組み合わせである。
・ｅＮＢ識別子（ｅＮＢ−ＩＤ）
・ローカルセル識別子（ＬＣ−ＩＤ）
【００１４】
同一のｅＮＢによってサービスを提供されるセルに対しては、ＬＣ−ＩＤだけが異なる。Ｅ−ＣＧＩは１つのＰＬＭＮの中でユニーク（一意的）であり、ネットワーク識別子（ＰＬＭＮ−ＩＤ）と連携して使用することができて、それによってグローバルにユニークにすることができる。従って、Ｅ−ＣＧＩは、「ユニーク」または「グローバル」な識別子と呼ぶことができる。
【００１５】
Ｅ−ＣＧＩの全長は２８ビットと規定され、そして、それらのビットの内の何ビットかは、ｅＮＢ−ＩＤまたはＨｅＮＢ−ＩＤ（すなわち、ノード識別子）を含み、これを使用してこのノードを識別することができる。例えば、Ｅ−ＣＧＩの最初の２０または２４ビットがｅＮＢ−ＩＤを含み、セルを制御するノードを識別する場合、またはＥ−ＣＧＩの全ての２８ビットがｅＮＢ−ＩＤを構成するという場合も可能である。残りのビット（すなわち、それぞれ、８、４または０ビット）は、そのノードの中でセルをローカルに識別するであろう。最後に挙げた長さ（すなわち、ノードの中でセルをローカルに識別するために使用する０ビット）は、（Ｈ）ｅＮＢごとに単一のセルを有する場合だけに可能であるということを意味する。
【００１６】
また物理セル識別子（ＰＣＩ）と呼ばれる別の型の識別子も存在する。ＰＣＩは異なるセルを識別するために無線層の上で使用される。Ｅ−ＣＧＩと同様に、ＰＣＩはセルの中でブロードキャストされるが、ＰＣＩはＥ−ＣＧＩよりも高い頻度で送信される。従って、セルを識別するためには、Ｅ−ＣＧＩを使用するよりもＰＣＩを使用する方がより有効である。ＰＣＩは通常、近隣のセル測定および測定報告の中でも使用される。異なるＰＣＩの全数は、５０４に限定される。従って、ＰＣＩはネットワークの中のセルの間で再使用され、ＰＣＩ割り当ては通常、ネットワーク計画において、近隣のマクロセルが同一のＰＣＩを使用していないことを保証するために必要度の高い仕事である。これはまた、ある特定な場所のマクロセルに対しては、ＰＣＩはユニークでありマクロセルを識別するためには十分であるということを意味する。
【００１７】
この状況はフェムトセルになると幾分か異なったものになる。フェムトセルもまた、無線層の上のＰＣＩで識別される。フェムトセルは、事業者の要員のいずれの仲介もなしにエンドユーザによって設置され、これは、ＰＣＩ計画は不可能であるということを意味する。また、フェムトセルの数は非常に多い可能性がある。現在行われている仮定は、利用可能な５０４のＰＣＩの内のいくつか（例えば約５０までのＰＣＩ）をフェムトセルだけのために専用にすることである。しかしながら、１つのマクロセルのカバレッジの中に５０以上のフェムトセルが存在するということは総合的にあり得ることである。これによって、一般的に「ＰＣＩ混乱（PCI confusion）」と呼ばれる状況に至る。これは、ＰＣＩだけではユニークではなく、フェムトセルをユニークに識別するためには、グローバルセル識別子（Ｅ−ＣＧＩ、上記参照）が必要になるということを意味する。また、いつ「ＰＣＩ混乱」が起こりえるかを知ることができるように、フェムトセルに対して専用化したＰＣＩ値に関する情報を、異なるネットワークノード（ｅＮＢ、ＨｅＮＢ  ＧＷ、およびＨｅＮＢ等）に設定することが望ましい。
【００１８】
一般に、セルラ無線通信システムにおいては、ＵＥが、呼またはデータセッションの進行中に、あるセルがカバーするエリアから離れて、別のセルがカバーするエリアの中に移動する時には、ハンドオーバ（ＨＯ）を実行する必要が生ずるであろう。すなわち、接続の脱落を回避するために、新しいセルにサービスを提供するノードに対して接続がハンドオーバされる必要がある。ハンドオーバを可能にするために、ＵＥは、その近傍にあるノードからの受信信号強度の測定を繰り返して実行する。サービングノード（すなわち、ＵＥが現在接続されているノード）は、測定を実行するべきセルのリストをＵＥに提供することができる。典型的には、このリストは、近隣セルのＰＣＩ備えたリストであるだろう。規則的な時間間隔で、または特別な測定閾値が満たされた場合に、ＵＥは、あるＰＣＩに結合した測定結果をＵＥのサービングノードに送信するであろう。これらの報告に基づいて、サービングノード（または「ソースノード」）は、異なるノード（「ターゲットノード」）へのハンドオーバを要求するか否かを判定する。ハンドオーバが必要である場合には、ソースノードはターゲットノードへの接続を確立する必要がある。これは通常、ＰＣＩを使用して行うことができる（すなわち、ＰＣＩはユニークなので）。そして、ｅＮＢはＰＣＩを使用して、ターゲットセルとターゲットセルにサービスを提供するターゲットノードとに関する全ての必要な情報を見いだすことができる。しかしながら、ＰＣＩ混乱の可能性がある場合（例えば、ターゲットノードがＨｅＮＢである場合）には、ソースノードは、ターゲットノードに対してＥ−ＣＧＩも送信するようにＵＥに要求するであろう。Ｅ−ＣＧＩの中に含まれるアドレッシング情報の助けによって、ターゲットノードに連絡できるようになる。ターゲットノードがその要求を受け付けると、接続はハンドオーバすることができる。
【００１９】
２つのｅＮＢの間のハンドオーバは、Ｘ２インタフェースを使用して実行することができる（「Ｘ２で開始する／に基づくハンドオーバ」と呼ばれる）。２つのｅＮＢの間にＸ２インタフェースが設定されると、ｅＮＢの識別子（ｅＮＢ−ＩＤ）と、このｅＮＢがサービスを提供するセルに関する情報のリストとが他方のｅＮＢに送信される。また、その逆も同様に行われる。Ｘ２インタフェースは、ハンドオーバが実行される可能性がある場合、またはセル間干渉調整（ＩＣＩＣ）が必要である場合に、近隣セルにサービスを提供するｅＮＢの間だけに確立されるという点に注意を要する。Ｘ２制御面に対して使用されるプロトコルは、Ｘ２ＡＰ（Ｘ２アプリケーションプロトコル）と呼ばれる。そして、Ｘ２ＡＰメッセージ（Ｘ２  ＳＥＴＵＰ  ＲＥＱＵＥＳＴおよびＸ２  ＳＥＴＵＰ  ＲＥＳＰＯＮＳＥ）はＸ２インタフェースを確立するものとして定義される。
【００２０】
ｅＮＢおよびＨｅＮＢを制御する（恐らくはＨｅＮＢ  ＧＷを介して）ＣＮノードは、移動管理エンティティ（ＭＭＥ）と呼ばれる。ＭＭＥはプールされることができる。これは、ＭＭＥのグループ（またはプール）は、ある特定なセットの（Ｈ）ｅＮＢを制御する仕事を共有するという意味である。ここでは、これらの（Ｈ）ｅＮＢがサービスを提供するセルは、連続したエリア（または少なくとも、それらのセルの間に他のＭＭＥプールに属するセルが分散されて存在するということはない）をカバーすることが望ましい。ｅＮＢとＭＭＥとの間には多数対多数の関係があり、従って、１つのＭＭＥプールの中の全てのＭＭＥは、そのＭＭＥプールが制御する全てのｅＮＢに接続される。ＨｅＮＢに対しては、ＭＭＥとの多数対多数の関係は、ＨｅＮＢ  ＧＷによって、仲介されるまたはプロキシを介して行われることが望ましい。
【００２１】
ＭＭＥはまた、非アクセス層（ＮＡＳ）プロトコルを使用して、（Ｈ）ｅＮＢを介して接続されたＵＥに向かっての制御シグナリングを扱う。（Ｈ）ｅＮＢを介してネットワークにアクセスしている各ＵＥに対して、（Ｈ）ｅＮＢはＭＭＥプールの中の１つのＭＭＥを選択する。そのＭＭＥは、ＵＥがＭＭＥプールに接続されている限り（すなわち、ＵＥがそのＭＭＥプールに属する（Ｈ）ｅＮＢの内の１つを介して、ＣＮに接続されている限り）、そのＵＥに向かってのＮＡＳシグナリングを扱うであろう。（Ｈ）ｅＮＢは、多くの場合、異なるＵＥに対しては異なるＭＭＥを選択するので、ＭＭＥプールのＭＭＥの間では、負荷分担は有効に導入される。ＨｅＮＢ  ＧＷが利用される場合には、ＭＭＥプールのサポート（例えば、ＭＭＥの選択）はＨｅＮＢ  ＧＷが実行すると仮定している。ＨｅＮＢは、ＵＥから受信した利用可能な情報をＨｅＮＢ  ＧＷに提供し、ＨｅＮＢがやはり以前と同じＭＭＥを選択できるようにすることが望ましい（すなわち、同じＭＭＥプールにまだ接続されている場合には）。
【００２２】
３ＧＰＰにおける現在行われている仮定は、ＨｅＮＢに関連するハンドオーバは、少なくともＬＴＥを配備する初期段階では、Ｓ１インタフェースを使用して実行されなければならないということである。しかしながら、これは、無線通信ネットワークのＭＭＥの中で厳しいシグナリング負荷および処理負荷を生じさせる可能性がある。従って、ＨｅＮＢおよびＨｅＮＢ  ＧＷに対して「Ｘ２」プロトコルを使用することにより、今後より多くの数のＨｅＮＢが配備されると予想される点に関し、それらのＨｅＮＢに関わるハンドオーバに対しても考慮することができる。
【００２３】
中位なサイズより大きなＥＰＳネットワークは、典型的に、数個のＭＭＥプールを有するであろう。ここで、それぞれのＭＭＥプールは、ネットワークの（Ｈ）ｅＮＢのサブセットを制御する。Ｘ２インタフェースは同一のＭＭＥプールに属する（Ｈ）ｅＮＢの間だけに確立される。異なるＭＭＥプールに属する（Ｈ）ｅＮＢの間のハンドオーバシグナリングは、ＭＭＥを介して、またＳ１およびＳ１０インタフェースを介して運ばれる。ここで、Ｓ１０インタフェースは、ＭＭＥプール間の制御層インタフェース、すなわち、異なるＭＭＥプールに属する２つのＭＭＥの間の制御シグナリングに対するインタフェースである。異なるＭＭＥプールに属するセルの間のハンドオーバは、ＭＭＥプール間ハンドオーバと呼ばれる。
【００２４】
上記で述べたように、３ＧＰＰにおける現在の仮定は、ＨｅＮＢに関わるハンドオーバ（すなわち、マクロセルからフェムトセルへ、またはその逆のハンドオーバ）は、Ｓ１インタフェースを使用して実行されるであろうということである。しかしながら、他のノードは、ＨｅＮＢに直接に連絡することはできない。なぜならば、ＨｅＮＢ  ＧＷは、ｅＮＢプロキシとして動作するからである。従って、ＨｅＮＢに関わるハンドオーバは、ＨｅＮＢ  ＧＷを経由する必要があるであろう。これを可能にするために、ＨｅＮＢがブロードキャストするＥ−ＣＧＩは、ＨｅＮＢ自身およびＨｅＮＢが接続されているＨｅＮＢ  ＧＷの両方の識別子を含むと仮定される。ここで、ＨｅＮＢ  ＧＷ  ＩＤはＨｅＮＢ−ＩＤの一部分であり、ＨｅＮＢ−ＩＤはＥ−ＣＧＩの一部分である。マクロセルからフェムトセルへのハンドオーバが必要な場合には、ソースノード（ｅＮｏｄｅＢ）は、ターゲットセル（すなわちＨｅＮＢがサービスを提供するフェムトセル）に対してＥ−ＣＧＩを送信するようにＵＥに要求するであろう。従って、ソースノードは、ＨｅＮＢ−ＩＤをＭＭＥに転送し、ＭＭＥは、ＨｅＮＢ  ＧＷ  ＩＤを抽出し、正しいＳ１インタフェースのルックアップを行い、これによりターゲットノードへの接続を確立することができる。
【００２５】
フェムトセルのｅＮＢ−ＩＤが、フェムトセルにサービスを提供するＨｅＮＢを制御するＨｅＮＢ−ＧＷを指し示すための、１つの可能な解決策は、ＨｅＮＢに対するｅＮＢ−ＩＤを２つの部分に分割することである。第１の部分は、ＨｅＮＢ−ＧＷの識別子であろう。また第２の部分はＨｅＮＢ−ＧＷの中でユニークなＨｅＮＢであるだろう。ＣＩの最初の、例えば６ビット（６４値）の、例えば最小値から２０の値をＨｅＮＢ−ＧＷに対して割り当てて、残りの４４値をｅＮＢに対して割り当てる。これにより、ネットワークの中に、それぞれが４００万のフェムトセルに「サービスを提供する」最大２０までのＨｅＮＢ−ＧＷを有することが可能となり、最大７０万の（１６０００の４４倍）までのｅＮＢとなる。そして、それぞれのｅＮＢは最大２５６までのマクロセルにサービスを提供する。１つのＨｅＮＢ当たり最大４までのフェムトセルによって、１つのＨｅＮＢ−ＧＷ当たり１００万〜４００万のＨｅＮＢを有することが可能になり、ネットワークでは最大２０００万までのＨｅＮＢになる。
【００２６】
３ＧＰＰの定義および上記で記述したｅＮＢ−ＩＤに対する解決策を使用すれば、「ｅＮＢ」がサービスを提供するセルのＥ−ＣＧＩから「ｅＮＢ」（ｅＮＢ／ＨｅＮＢ／ＨｅＮＢ−ＧＷ）に対する識別子を導出することができる。
【００２７】
適切な「ｅＮＢ」（ｅＮＢ／ＨｅＮＢ／ＨｅＮＢ−ＧＷ）に対してメッセージをルーティングする目的で、ＤＮＳクエリによって、ＩＰアドレスを、例えば検索することができる。ｅＮＢ−ＩＤ、またはその一部分は、クエリに使用する完全修飾ドメイン名（ＦＱＤＮ）の一部分であるべきである。
【００２８】
上記で記述した解決策は、Ｅ−ＣＧＩのある特定の部分を静的に割り当ててＨｅＮＢ  ＧＷを指示するものであり、これは、ネットワークの中で静的な定義を規定して保持するために、多くの運用および保守（Ｏ＆Ｍ）の仕事が必要であるという欠点を有する。これは、システムの中の全てのノードがＨｅＮＢ  ＧＷアドレスを検索できるためには、これら全てのノードは、Ｅ−ＣＧＩフォーマットを知っていなければならないからである。
【００２９】
さらに、典型的なシナリオでは、ネットワークの中のＨｅＮＢの数は、連続的に増加すし、これにより事業者は、小容量ＨｅＮＢ  ＧＷを大容量ＨｅＮＢ  ＧＷで置換することを強いられるであろう。そして、これにより、同じネットワークの中で、接続される可能性があるＨｅＮＢおよびフェムトセルの数が変化し、従ってアドレッシング需要が変化するという立場から、変化する容量のＨｅＮＢ  ＧＷを、多少なりとも常に保守することを行わなければならない。この動的な変動は、ＨｅＮＢ  ＧＷアドレスを導出することができるＥ−ＣＧＩのビットを「固定」数で構成することは、厳しく、そして恐らくは誤差を生じやすい仕事であろうということを意味する。さらに複雑な状況は、ｅＮＢは異なる容量を持つ異なるＨｅＮＢ  ＧＷに接続された近隣ＨｅＮＢを有することがしばしばあって、従って、それらのそれぞれのＨｅＮＢ  ＧＷアドレスの導出はビットの異なる「固定」数に基づくことになるという点である。結果として、ｅＮＢの中にその「固定」数のビットを設定することでは十分ではなく、異なるＨｅＮＢに関連していくつかの異なる「固定」数（例えばＥ−ＣＧＩの範囲）を設定することが必要となるという場合がしばしばあり得る。
【００３０】
上述したように、現在の仮定は、ＨｅＮＢに関連するハンドオーバは、Ｓ１インタフェースを使用して実行するべきであるということである。しかしながら、これは、無線通信ネットワークのＭＭＥの中に厳しいシグナリング負荷および処理負荷を引き起こす可能性がある。これはシステムの中のノードがＨｅＮＢ  ＧＷアドレスを検索できるためには、これらノードは、Ｅ−ＣＧＩフォーマットを知っていなければならないという意味からである。
【発明の概要】
【００３１】
従って、本明細書に記述する実施形態の目的は、異なる容量を持ったゲートウェイノードをサポートし、効率よく使用することができるメカニズムを提供することである。
【００３２】
第１の視点に従えば、この目的はターゲット無線基地局における方法によって達成される。本方法は、ユーザ装置に対する接続の、ソースセルからターゲットセル識別子に関連するターゲットセルへのハンドオーバを行うことを可能にするための方法である。ソースセルはソース無線基地局によってサービスが提供され、ターゲットセルはターゲット無線基地局によってサービスが提供される。ターゲット無線基地局およびソース無線基地局は無線通信ネットワークの中に備えられる。ターゲット無線基地局は、ネットワークノード識別子に関連したゲートウェイノードに接続されるように適合される。ゲートウェイノードは、コアネットワークに向かっておよびソース無線基地局に向かって、ターゲット無線基地局に対するプロキシとして動作する。ターゲット無線基地局は、ユーザ装置に対して、無線チャネルの上でターゲットセルの内部にターゲットセル識別子およびマスクを定期的にブロードキャストする。ターゲットセル識別子は、ゲートウェイノードのネットワークノード識別子を備え、ネットワークノード識別子はターゲットセル識別子の中に埋め込まれる。そしてマスクは、ターゲットセル識別子からネットワークノード識別子を導出するために使用されるべきものである。
【００３３】
本方法を実行するために、ターゲット無線基地局が提供される。ターゲット無線基地局は、ブロードキャストユニットを備え、ブロードキャストユニットは、ユーザ装置に対して、無線チャネルの上でターゲットセルの内部にターゲットセル識別子およびマスクを定期的にブロードキャストするように構成される。ターゲットセル識別子は、ゲートウェイノードのネットワークノード識別子を備え、ネットワークノード識別子はターゲットセル識別子の中に埋め込まれる。そしてマスクは、ターゲットセル識別子からネットワークノード識別子を導出するために使用されるべきものである。
【００３４】
第２の視点に従えば、この目的はユーザ装置における方法によって達成される。本方法は、ユーザ装置に対する接続の、ソースセルからターゲットセル識別子に関連するターゲットセルへのハンドオーバを行うことを可能にする方法である。ソースセルはソース無線基地局によってサービスが提供され、ターゲットセルはターゲット無線基地局によってサービスが提供される。ターゲット無線基地局およびソース無線基地局は無線通信ネットワークの中に備えられる。ターゲット無線基地局は、ネットワークノード識別子に関連したゲートウェイノードに接続されるように適合される。ゲートウェイノードは、コアネットワークに向かっておよびソース無線基地局に向かって、ターゲット無線基地局に対するプロキシとして動作する。ユーザ装置は、ターゲットセルの内部に無線チャネルの上でターゲット無線基地局からブロードキャストされたターゲットセル識別子およびマスクを受信する。ターゲットセル識別子は、ゲートウェイノードのネットワークノード識別子を備え、ネットワークノード識別子はターゲットセル識別子の中に埋め込まれる。そしてマスクは、ターゲットセル識別子からネットワークノード識別子を導出するために使用されるべきものである。ユーザ装置は更に、ターゲットセル識別子およびマスクをソース無線基地局に送信し、それにより、ソース無線基地局は、ターゲット無線基地局が属するゲートウェイノードを識別することが可能になる。
【００３５】
本方法を実行するために、ユーザ装置が提供される。ユーザ装置は、受信ユニットを備え、受信ユニットは、ターゲット無線基地局から、無線チャネルの上でターゲットセルの内部にブロードキャストされたターゲットセル識別子およびマスクを受信するように構成される。ターゲットセル識別子は、ゲートウェイノードのネットワークノード識別子を備え、ネットワークノード識別子はターゲットセル識別子の中に埋め込まれる。そしてマスクは、ターゲットセル識別子からネットワークノード識別子を導出するために使用されるべきものである。さらに、ユーザ装置は送信ユニットを備え、送信ユニットはターゲットセル識別子およびマスクをソース無線基地局に送信するように構成される。これにより、ソース無線基地局は、ターゲット無線基地局が属するゲートウェイノードを識別することが可能になる。
【００３６】
第３の視点に従えば、この目的はソース無線基地局における方法によって達成される。本方法は、ユーザ装置に対する接続の、ソースセルからターゲットセル識別子に関連するターゲットセルへのハンドオーバを開始するための方法である。ソース無線基地局は、ユーザ装置から、無線チャネルの上でターゲットセル識別子およびマスクを受信する。ターゲットセル識別子は、ゲートウェイノードのネットワークノード識別子を備え、ネットワークノード識別子はターゲットセル識別子の中に埋め込まれる。そしてマスクは、ターゲットセル識別子からネットワークノード識別子を導出するために使用されるべきものである。
【００３７】
ソース無線基地局１５は、マスクを使用して、ターゲットセル識別子の中に埋め込まれたネットワークノード識別子を導出する。そして、ソース無線基地局１５は、導出したネットワークノード識別子に基づいて、ユーザ装置１３に対する接続の、ソースセル１２からターゲットセル１１へのハンドオーバを開始する。
【００３８】
本方法を実行するために、ソース無線基地局が提供される。ソース無線基地局は受信ユニットを備え、受信ユニットは、無線チャネルの上でユーザ装置からターゲットセル識別子およびマスクを受信するように構成される。ターゲットセル識別子は、ゲートウェイノードのネットワークノード識別子を備え、ネットワークノード識別子はターゲットセル識別子の中に埋め込まれる。そしてマスクは、ターゲットセル識別子からネットワークノード識別子を導出するために使用されるべきものである。さらに、ソース無線基地局は導出ユニットを備え、導出ユニットは、マスクを使用して、ターゲットセル識別子の中に埋め込まれたネットワークノード識別子導出するように構成される。さらに、ソース無線基地局は、開始ユニット１５０３を備え、開始ユニット１５０３は、導出したネットワークノード識別子に基づいて、ユーザ装置１３に対する接続の、ソースセル１２からターゲットセル１１へのハンドオーバを開始するように構成される。
【００３９】
従って、ソース無線基地局にターゲットセル識別子およびマスクを報告することにより、異なる容量を持つゲートウェイノードをサポートし、効率よく使用することができるメカニズムが提供される。
【図面の簡単な説明】
【００４０】
【図１】マクロセルおよびフェムトセルを持つＬＴＥＲＡＮアーキテクチャを示すブロック図である。
【図２】フェムトセルの解決策を持つＬＴＥＲＡＮの詳細を示すブロック図である。
【図３】本解決策の実施形態を示す、合成したシグナリング方式およびフローチャートを示す図である。
【図４】本解決策の実施形態を示す、合成したシグナリング方式およびフローチャートを示す図である。
【図５】本解決策の実施形態を示す、合成したシグナリング方式およびフローチャートを示す図である。
【図６】本解決策の実施形態を示す、合成したシグナリング方式およびフローチャートを示す図である。
【図７】１つの実施形態に従った、ゲートウェイノード識別子の抽出を示す図である。
【図８】１つの実施形態に従った、ゲートウェイノード識別子の抽出を示す図である。
【図９】１つの実施形態に従った、ゲートウェイノード識別子の抽出を示す図である。
【図１０】いくつかの実施形態に従った、ターゲット無線基地局における方法のフローチャートである。
【図１１】いくつかの実施形態に従ったターゲット無線基地局を示すブロック図である。
【図１２】いくつかの実施形態に従った、ユーザ装置における方法のフローチャートである。
【図１３】いくつかの実施形態に従ったユーザ装置を示すブロック図である。
【図１４】いくつかの実施形態に従った、ソース無線基地局における方法のフローチャートである。
【図１５】いくつかの実施形態に従ったソース無線基地局を示すブロック図である。
【発明を実施するための形態】
【００４１】
以下では、添付の図面に関連して、実施形態をより詳細に記述する。
【００４２】
図１は本発明が適切に適用される無線通信ネットワーク１００の１つの実施例を示す。図示したように、無線通信ネットワーク１００はセルラシステムであり、複数のセルを備える。図１ではそれらのセルの内の２つを、フェムトセル１１およびマクロセル１２として示してある。各セルは、複数のユーザ端末（一般的にユーザ装置「ＵＥ」と名付けられる）を備えることができる。１つのユーザ装置がＵＥ１３として示されている。
【００４３】
無線通信ネットワーク１００の中の各セルに対して、１つの制御ノード（一般的に「無線基地局（ＲＢＳ）」と呼ばれる）が存在する。ＨｅＮＢ（すなわち、ＲＢＳの１つの型であり、またターゲット無線基地局１４と呼ばれる）はフェムトセル１１を制御する。そしてＲＢＳ（またソース無線基地局１５と呼ばれる）は、マクロセル１２を制御する。ソース無線基地局１５の１つの役割は、セル１２におけるＵＥ１３に対するおよびＵＥ１３からの全てのトラフィックを、ソース無線基地局１５を介してルーティングすることである。ソースおよびターゲットという用語は、ハンドオーバの状況下での用語である。すなわちＵＥ１３は、ターゲットセル１１のセル境界にいて、ハンドオーバを必要としている。そしてソース無線基地局１５は現在ＵＥにサービスを提供している無線基地局である。
【００４４】
無線通信ネットワーク１００は、ＬＴＥネットワークばかりでなく、ＧＳＭ（移動コミュニケーションのためのグローバルシステム）、ＵＭＴＳ、ＷＣＤＭＡ等の他のネットワークを備えることができる。いくつかのネットワークにおいては、ＲＢＳはＮｏｄｅＢまたはｅＮｏｄｅＢと呼ぶことがある。本明細書においては、解決策は、ＬＴＥネットワークにおける解決策として例示され、またソース無線基地局はｅＮｏｄｅＢと呼ぶであろう。
【００４５】
ＨｅＮＢコンセントレータノード（本明細書においてはゲートウェイノード（ＨｅＮＢ  ＧＷ）１６と呼ぶ）もまた、ターゲット無線基地局１４とコアネットワーク（ＣＮ）１７との間に備えることができる。ＨｅＮＢ  ＧＷ１６は、コアネットワーク１７およびソース無線基地局１５に向かってターゲット無線基地局１４に対するプロキシとして動作する。従って、ＨｅＮＢ  ＧＷ１６は、ターゲット無線基地局１４とコアネットワーク１７との間の中間ノードであり、ソース無線基地局１５は、コアネットワーク１７およびソース無線基地局１５からのターゲット無線基地局１４を探索する要求に対して中間に位置する機能として動作する。
【００４６】
ＵＥ１３は、マクロセル１２の中でソース無線基地局１５によってサービスを提供され、そしてターゲット無線基地局１４からの信号を検出する。ターゲット無線基地局１４は、ターゲットセル識別子およびマスクをブロードキャストする。ターゲットセル識別子は、ゲートウェイノード１６のネットワークノード識別子を備え、ネットワークノード識別子はターゲットセル識別子の中に埋め込まれる。マスクは、ターゲットセル識別子からネットワークノード識別子を導出するために使用されるものである。ターゲットセル識別子およびマスクは、例えば異なるシステム情報のブロードキャストの中で、別々に送信することができる。
【００４７】
ターゲットセル識別子およびマスクは、ＵＥ１３からソース無線基地局１５に対して、別々にまたは一緒に報告される。従って、ＵＥ１３は、ソース無線基地局１５が、例えば自動近隣関係（ＡＮＲ）を介してマスクを利用できるようにする。
【００４８】
正規な呼手順の一部として、ソース無線基地局１５は、各ＵＥに近隣セルに関する測定を実行するよう命令する。ソース無線基地局１５は測定を行うようＵＥ１３に命令することに関し、そしてまた、それらをソース無線基地局１５に報告する時に、異なるポリシーを使用することができる。ＵＥ１３はターゲットセルに関する測定報告を送信する。この報告は、セルＢのＰＣＩを含むことができる。ソース無線基地局１５がＰＣＩを含むＵＥの測定報告を受信する時に、以下のシーケンスを使用することができる。ソース無線基地局１５は、関連する近隣セルの、Ｅ−ＣＧＩ（すなわちＰＬＭＮ  ＩＤ）、ＣＳＧインジケータおよびセル識別子、ＴＡＣ、および全ての利用可能なＰＬＭＮＩＤを、新しく発見したＰＣＩをパラメータとして使用して読むよう命令する。これを行うために、ソース無線基地局１５は、検出された近隣セルのブロードキャストチャネルからＵＥ１３がＥ−ＣＧＩを読むことを可能とする適切なアイドル時間間隔をスケジューリングすることを必要とする可能性がある。ＵＥ１３は新しいセルのＥ−ＣＧＩを見いだしたときには、ＵＥは、検出したＥ−ＣＧＩ（すなわちＰＬＭＮ  ＩＤ）、ＣＳＧインジケータおよびセル識別子を、セルにサービスを提供しているソース無線基地局１５に報告する。さらにＵＥ１３は、追尾エリアコードおよび検出した全てのＰＬＭＮ  ＩＤを報告する。ソース無線基地局１５は、この近隣関係を追加することを決定し、そして、ＰＣＩおよびＥ−ＣＧＩを使用して、新しいターゲット無線基地局に対するトランスポート層アドレスのルックアップを行うこと、近隣関係リストを更新すること、また必要であれば、このターゲット無線基地局に向かっての新しいＸ２インタフェースを設定することができる。
【００４９】
この報告によって、ＡＮＲがトリガするＸ２インタフェースの確立が可能になる。これは、ソース無線基地局１５は、報告しているＵＥ１３からの情報を使用して完全修飾ドメイン名（ＦＱＤＮ）を構成することができるからである。ＦＱＤＮはＨｅＮＢ  ＧＷ１６のＩＰアドレスに翻訳することができる。Ｘ２はＲＡＮの中のノードの間の無線アクセスネットワークサブシステム間の接続であり、Ｓ１接続は、無線アクセスネットワークからコアネットワーク１７／運用および保守ネットワークへの接続である。
【００５０】
ソース無線基地局１５は、そのアドレスがＨｅＮＢ  ＧＷ１６に属するものであってターゲット無線基地局１４に属するものではないということを知る必要がない。これにより、Ｘ２インタフェースの確立は、ＨｅＮＢ  ＧＷ１６がＸ２インタフェースに対してプロキシおよびコンセントレータノードとして動作するとしても、ＭＭＥの関与なしに、またＳ１手順によらずに、実行することができる。
【００５１】
ターゲット無線基地局１４からブロードキャストするシステム情報の中にマスクを提供することによって、近隣の無線基地局（すなわち、ソース無線基地局１５）は、ＭＭＥノードおよびＳ１シグナリングとは独立にＸ２確立を扱うことができる。ソース無線基地局１５は、ＵＥ１３からのＡＮＲ報告およびＤＮＳサービスを使用してＸ２インタフェースを確立する。
【００５２】
ＵＥ１３からの報告の中のマスクによって、ソース無線基地局は、新しいＸ２インタフェースが確立される必要があるか否か、またはＨｅＮＢ  ＧＷ１６に対する現在のＸ２インタフェースが使用可能であるか否かを判定することができる。ソース無線基地局１５は、使用することができる現在のＸ２インタフェースを識別することができる。ここでは以前のマスクおよび／またはターゲット無線基地局に関する知識はこの識別を可能にするためには十分ではないという点に注意するべきである。これは、マスク長を動的に変化させた場合には、短いマスクの大容量のＨｅＮＢ  ＧＷが、より長いマスクの小容量ＨｅＮＢ  ＧＷのターゲット無線基地局の識別子の範囲を所持しているかのように見えることがあるからである。すなわち、短いマスクは長いマスクの一部分であり、誤りを生ずる識別子の範囲を指示する可能性がある。これは最長一致の原則（longest match principle）を使用して解決することができる。ソース無線基地局１５は、ＵＥ１３から報告された第１および第２のマスクを備え、ネットワークノード識別子の最長マッチを示すマスクを使用する。ターゲット無線基地局１４は、ターゲット無線基地局１４の自動設定の間にＯ＆Ｍシステムから、またはＳ１インタフェースの確立の間にＨｅＮＢ  ＧＷ１６から、マスクを得る／受信することができると理解するべきである。Ｓ１インタフェースの確立の間にマスクを得ることによって、Ｓ１確立の間にＨｅＮＢ  ＧＷ１６がターゲット無線基地局１５を、異なるＨｅＮＢ  ＧＷに方向を変えさせたとしても、この解決策は有効に動作する。
【００５３】
以下では図２に関して述べる。図２はＬＴＥ  ＲＡＮにおけるノードおよびインタフェースをより詳細に示している。
【００５４】
ソース無線基地局１５は、それの全ての近隣ＨｅＮＢに対するアドレッシング情報およびＸ２インタフェースを保持していない可能性がある。これは、これらのノードは数が多い可能性があるからである。ターゲット無線基地局１４に対するＸ２インタフェース（本明細書においては無線アクセスネットワークサブシステム間接続の実施例である）は、ゲートウェイノード１６を介して確立されると仮定している。これは、ゲートウェイノード１６は両方の方向においてＸ２プロキシとして動作するであろうということを意味している。無線アクセスネットワークサブシステムという用語は、単一のマクロＲＢＳ（すなわち、ｅＮＢ）、またはノードのグループを示すために使用している。ここで、ノードのグループはゲートウェイノードと、ゲートウェイノードに接続されたＨｅＮＢとで構成される。Ｘ２プロキシとしてのその役割の中で、ゲートウェイノード１６は、ＨｅＮＢ  ＧＷを介してのＳ１接続を持たない無線基地局（例えばソース無線基地局１５）から見ると、多くのセルを持つ１つの無線基地局のように見える可能性がある。また、ゲートウェイノード１６を介してＳ１接続を持つ無線基地局（例えばターゲット無線基地局１４）から見ても、多くのセルを持つ１つの無線基地局として見える可能性がある。これはまた、ゲートウェイノード１６は、それがＣＮ１７を保護するのと同様の様式で、無線基地局に向かってのスケーリング、シグナリング負荷およびセキュリティを解決するであろうということを意味する。無線アクセスネットワークサブシステム間接続は、それが他のネットワークの中に備えられるときには、他のインタフェース（ＵＭＴＳにおけるＩｕｒ／Ｉｕｂ、ＧＳＭにおけるＡｂｉｓ／Ｉｕｒ等）を備えることができるという点にも注意しなければならない。
【００５５】
図２を参照すると、ソース無線基地局１５とターゲット無線基地局１４との間のハンドオーバを実行する必要が生じた場合には、ハンドオーバは、いくつかの典型的な実施形態では、ソース無線基地局１５とターゲット無線基地局１４との間のＸ２インタフェースを使用して実行することができる。これは、これらの実施形態では、Ｘ２インタフェースは、最初にソース無線基地局１５とゲートウェイノード１６との間に確立され、次ぎにゲートウェイノード１６とターゲット無線基地局１４との間に確立される必要があるということを意味する。Ｘ２インタフェースが正常に確立された場合には、ゲートウェイノード１６は、全てのフェムトセルＦＣ１．１．．．ＦＣ１．ｎ、およびＦＣ２．１．．．ＦＣ２．ｎに関する情報をソース無線基地局１５に与えるであろう。これらのフェムトセルは、このゲートウェイノード１６に接続された、ターゲット無線基地局１５および第２のターゲット無線基地局２１（ＨｅＮＢ）によって扱われる。同様に、ソース無線基地局１５は、それがサービスを提供している全てのマクロセル（ＭＣ１．１．．．ＭＣ１．ｍ）に関する情報をゲートウェイノード１６に与えるであろう。同じ原理をゲートウェイノード１６とターゲット無線基地局１４、２１との間に使用することができる。しかしながら、ゲートウェイノード１６とターゲット無線基地局との間にＸ２インタフェースが確立される場合には、ある程度の単純化が可能である。Ｘ２インタフェースは、ターゲット無線基地局１４、２１の自動設定で既に確立されているということが可能である。ターゲット無線基地局１４、２１からゲートウェイノード１６への方向に対して、「デフォルトルーティング」を適用することもでき、これは、ゲートウェイノード１６は、ゲートウェイノード１６がＸ２インタフェースを有しゲートウェイノード１６がサービスを提供する全てのセルを、ターゲット無線基地局１４、２１に対してシグナリングする必要はないであろうということを意味する。その代わりに、ターゲット無線基地局１４は、ゲートウェイノード１６に向かっての単一のインタフェースの上で全てのＸ２シグナリングを送信することができる。
【００５６】
ここで、ハンドオーバはソース無線基地局１５からターゲット無線基地局１４に行われると仮定すると、Ｘ２インタフェースを確立するために使用するアドレッシング情報は、ＵＥ１３はターゲット無線基地局１４によってブロードキャストされたシステム情報からターゲットセルＦＣ１．１のユニークセル識別子またはグローバルセル識別子（Ｅ−ＣＧＩ、Ｅ−ＵＴＲＡＮセルグローバル識別子（ＣＧＩ）と呼ばれる）を得て、それを報告するであろうということに基づいている。Ｅ−ＣＧＩは、フェムトセルＦＣ１．１にサービスを提供するターゲット無線基地局１４の識別子を備えるであろう。
【００５７】
しかしながら、ゲートウェイノード１６がＸ２プロキシとして使用される場合には、事情は若干異なったものになる。この場合には、ターゲット無線基地局１４を制御しているゲートウェイノード１６は、Ｅ−ＣＧＩに基づいて識別することが可能でなければならない。１つの可能な解決策は、Ｅ−ＣＧＩのいくつかの固定数のビット（例えば、最初の８ビット）を、ゲートウェイノード１６を識別するために使用すると規定することであろう。これらの固定値のビット数に関する情報がソース無線基地局１５の中で設定されると、ソース無線基地局１５は、受信したＥ−ＣＧＩの中の固定値の数の最初のビットを取って、これらを使用してゲートウェイノード１６に対するアドレスを検索することが可能となるであろう。このアドレス検索に関しては、このアドレス検索はその固定値の数のビットに基づいてＦＱＤＮを生成することに基づいて行うことができ、ＤＮＳを使用してゲートウェイノードアドレスを解決することができるという点の記述にとどめる。この情報は以下の２点のために使用することができる。（ｉ）ゲートウェイノードに向かってのＸ２インタフェースを確立する。および、（ｉｉ）必要なＸ２インタフェースが既に確立されている場合に、Ｘ２に基づいたハンドオーバ要求に対して正しいＸ２インタフェースを選択する。
【００５８】
上記で述べたように、ゲートウェイノード１６を識別するために固定値の数のビットを使用することは、多くの量のネットワーク設定が必要であるという欠点を有する。さらに、これは、ネットワークの中に異なる容量のゲートウェイノードを有することをサポートしない。従って、Ｅ−ＣＧＩとともにマスクを提供し、前記マスクがＥ−ＣＧＩのどの部分がゲートウェイノードを識別するかを指示することにより、柔軟なアドレッシング方式が可能になる。
【００５９】
マスクの目的は、Ｅ−ＣＧＩのいくつのビットがゲートウェイノード１６の無線基地局ＩＤ（すなわち、ゲートウェイノードＩＤ）を構成するかを示すことである。このマスクは、整数のマスク、また恐らくはビット列としてのマスクを実現し、Ｅ−ＣＧＩに適用することが適切である。ビット列の形の場合には、マスクをかけてゲートウェイノードＩＤを取り出す。これは例えば、マスクの中の１つの列に設定されたビットに対応する、Ｅ−ＣＧＩのビットを抽出することにより行う。ＵＥ１３からの報告の中にマスクを提供することにより、ソース無線基地局１５は、新しいＸ２インタフェースを確立する必要があるか、または現在のＨｅＮＢ  ＧＷ１６に対するＸ２インタフェースを使用することができるかを判定することが可能になる。ソース無線基地局１５は、使用することができる現在のＸ２インタフェースを識別することができる。
【００６０】
ソース無線基地局１５と第２のマクロ無線基地局２２との間のＸ２インタフェースを図２に示す。このＸ２インタフェースは、２つのマクロ無線基地局の間のハンドオーバのために使用することができる。第２の無線基地局２２は複数のマクロセル（ＭＣ２．１．．．ＭＣ２．ｍ）にサービスを提供する。
【００６１】
図３は、マスクを使用する方法の実施形態を示し、これらの実施形態は、ユーザ装置１３に対する接続の、ソースセル１２からターゲットセル１１（図１示した）へのハンドオーバをターゲットセル識別子に関連して行うことを可能にする。ソースセル１２はソース無線基地局１５によってサービスが提供され、ターゲットセル１１はターゲット無線基地局１４によってサービスが提供される。ターゲット無線基地局１４およびソース無線基地局１５は、無線通信ネットワーク１００の中に備えられる。
【００６２】
ターゲット無線基地局１４は、ネットワークノード識別子に関連したゲートウェイノード１６に接続される。ゲートウェイノード１６は、コアネットワーク１７に向かって、およびソース無線基地局１５に向かって、ターゲット無線基地局１４に対するプロキシとして動作する。
【００６３】
ステップ３０１：ゲートウェイノード１６は、システム情報をターゲット無線基地局１４に対して送信する。システム情報は、例えば、Ｅ−ＣＧＩ等のターゲットセル識別子と、さらにマスクも備え、マスクは、ゲートウェイノード１６のネットワークノード識別子を抽出するために使用するべきものである。ターゲット無線基地局１４はまた、Ｏ＆Ｍシステムからこの情報を受信することもできるという点に注意するべきである。ゲートウェイは、ターゲットセル識別子およびマスクを別々にまたは一緒に送信することができる。
【００６４】
ステップ３０２：ターゲット無線基地局１４は、ＳＩを受信して、そのＳＩをターゲットセル１１の中にブロードキャストする。
【００６５】
ステップ３０３：ＵＥ１３は、信号に対して動作周波数を掃引することによりＳＩを受信する。ＵＥ１３は、信号からターゲットセル識別子およびマスクを受信する。これは、ＵＥ１３のＡＮＲ処理の間に実行することができる。ＡＮＲ処理ではＵＥ１３は、受信信号の信号強度を測定する。
【００６６】
ステップ３０４：ＵＥ１３は、ソース無線基地局１５にターゲットセル識別子およびマスクを報告する。ＵＥ１３は、ターゲットセル識別子およびマスクを、測定した信号強度報告の中に含めて報告することができる。ターゲットセル識別子およびマスクは、ソース無線基地局１４に送信される。ＵＥ１３はまた、ターゲットセルの物理セル識別子を報告することもできる。
【００６７】
ステップ３０５：ソース無線基地局１５は、ターゲットセル識別子およびマスクを受信する。マスクは、ソース無線基地局１５によって使用され、ターゲットセル識別子の中に埋め込まれたネットワークノード識別子が導出される。
【００６８】
ステップ３０６：ソース無線基地局１５は、導出したネットワークノード識別子から、ＩＰアドレスを検索し、ＵＥ１３の接続のハンドオーバをターゲットセル１１に対して実行することができる。ＵＥ１３からの報告の中のマスクによって、ソース無線基地局１５は、新しいＸ２インタフェースを確立する必要があるか、またはＨｅＮＢ  ＧＷ１６に対する現在のＸ２インタフェースを使用することができるかを判定することが可能になる。ソース無線基地局１５は、使用することができる現在のＸ２インタフェースを識別することができる。
【００６９】
マスクの使用を記述した２つの異なる具体的な実施形態に関して、以下でより詳細に記述する。これらの実施形態は、通信の異なる段階に対する支援を提供する。例えば、下に示す図４は、正しいノードに向かってのＸ２インタフェースを確立するためのトリガとして使用することができるし、また、既に確立したＸ２インタフェースのうちからソース無線基地局１５における正しいＸ２インタフェースを選択するために使用することもできる。ＭＭＥはまた、正しいＳ１インタフェースの選択において支援を受けることができる。
【００７０】
いくつかのシナリオ（下に示す図５等）では、Ｘ２インタフェースを確立するために別のトリガが必要になり、これらは他の解決策に対しても有効である可能性がある。例えば、Ｓ１に基づくハンドオーバ、ターゲット無線基地局１４の中のマクロネットワークの掃引（以下ではネットワークリスナと記す）、ターゲット無線基地局１４に接続されたＵＥ１３からの自動近隣関係（ＡＮＲ）に関連した報告、および／またはターゲット無線基地局１４が開始するハンドオーバをトリガとして使用することができる（以下参照）。
【００７１】
Ｓ１に基づいたハンドオーバのトリガは、ゲートウェイノード１６が、フェムトセルに向かってのＳ１に基づくハンドオーバ要求を、このハンドオーバ要求の中では、ソース無線基地局１５に向かってＸ２インタフェースを確立するためのトリガとして使用するということを意味する。
【００７２】
可能性のある別のよい例としては、ネットワークリスナ（ＮＷＬ）と呼ばれるものであろう。これは、ターゲット無線基地局１４の中に統合されたＵＥ受信機である。ＮＷＬは、少なくとも、近隣マクロセル１２からシステム情報を含む情報を収集する能力を有さなければならない。ＮＷＬは、ターゲット無線基地局１４の電源が投入されたときに、また好ましくは規則的にも使用することができる。後者は、周囲のマクロセルに従って時間的に変化する可能性がある。周囲のマクロセルの変化は、ターゲット無線基地局１４の中にあるＡＮＲ機能によって監視することもできて、それによりＵＥ１３は検出した近隣セルを報告することができる。以下で示す解決策に対する、検出したマクロセルごとの重要な情報は、Ｅ−ＣＧＩであろう。
【００７３】
これは、ソース無線基地局１５とソース無線基地局１５がサービスを提供するセル１２（ＮＷＬまたはＡＮＲが検出した）の識別子は導出することができるということを意味する。この情報を使用して、必要とするソース無線基地局１５に向かってのＸ２インタフェースを確立することができる。
【００７４】
サービスが提供されるセルとしてＸ２インタフェースを通して報告できるセルの最大数が２５６であるという制約条件がゲートウェイノード１６に対して引き起こす問題があり、この問題に対抗する解決策は、ゲートウェイノード１６が、サービスを提供する適切なフェムトセルだけを選択して報告できるようにすることである。これは、通常は、Ｘ２インタフェースの他方の側にあるソース無線基地局１５によってサービスが提供されるいずれのマクロセルに対しても、サービスが提供されるフェムトセルの一部だけが実際には近隣セルだからである。
【００７５】
適切なフェムトセルを選択して報告する１つの有効な方法は、ターゲット無線基地局１４に関わるメカニズムを利用することである。このメカニズムにおいては、ターゲット無線基地局１４は、ターゲット無線基地局１４が聴く（例えば、ＮＷＬまたはＡＮＲを通して検出する）ことができるマクロセルまたはマクロソース無線基地局を率先してゲートウェイノード１６に報告することが望ましい。Ｘ２確立の状況下では、ゲートウェイノード１６は、報告するためにこの情報を使用することができる。これは、Ｘ２  ＳＥＴＵＰ  ＲＥＳＰＯＮＳＥメッセージの中で実行することができる。これはソース無線基地局１５に対する報告であり、ターゲット無線基地局１４のフェムトセルだけを報告する。これらのフェムトセルは、関係するソース無線基地局１５を聴いたフェムトセル、または関係するソース無線基地局１５のいずれかのマクロセルを聴いたフェムトセル、またはＵＥ１３からのＡＮＲ報告の中で受信されたフェムトセルである。ソース無線基地局１５からのＸ２  ＳＥＴＵＰ  ＲＥＱＵＥＳＴメッセージが関わるターゲット無線基地局１４が、関係するソース無線基地局１５または関係するソース無線基地局１５のいずれかのマクロセルを聴くことができる、またはＵＥ１３からのＡＮＲ報告の中でそれらを受信したという報告をしなかった場合には、ゲートウェイノード１６は、このターゲット無線基地局１４のフェムトセルをソース無線基地局１５に対して何らかの方法で報告する。
【００７６】
いくつかの実施形態では、ターゲット無線基地局１４が開始するハンドオーバは、Ｘ２インタフェース確立に対するトリガとして使用され、それは以下のように実行することができる。以前に述べたように、ターゲット無線基地局１４とゲートウェイノード１６との間のＸ２インタフェースは、ターゲット無線基地局１４の配備／設定の段階で、既に率先して確立されていて、ターゲット無線基地局１４は「デフォルトルーティング」を使用することができる。これは、ターゲット無線基地局１４は、自分の全てのＸ２シグナリングをゲートウェイノード１６に送信する（すなわち、ターゲット無線基地局１４に向けられたＸ２インタフェースを通して送信する）という意味である。このシナリオでは、ゲートウェイノード１６は、ターゲット無線基地局１４に対してＸ２インタフェースを通して、サービスを提供するセルを全然報告しなくてよい、または、「全ての近隣セル」であることを表明する表示を報告することでよい。そして、その代わりに、ターゲット無線基地局１４はデフォルトとして、あたかも、検出した全ての近隣セルがＸ２インタフェースを介してゲートウェイノード１６に向かって届けられるように行動することができる。従って、ターゲット無線基地局１４は、ＵＥ１３が近隣セルにハンドオーバを行う必要があるときにはいつでも、常にＸ２に基づいたハンドオーバを開始するよう試みるであろう。これは、このＸ２インタフェースが既に存在していない場合に、ゲートウェイノード１６から、関係する近隣セルのソース無線基地局へのＸ２インタフェース確立に対するトリガとして使用することができる。ターゲット無線基地局１４がターゲットＥ−ＣＧＩを持つＸ２メッセージ（例えば、Ｘ２  ＨＡＮＤＯＶＥＲ  ＲＥＱＵＥＳＴ）を送信し、ゲートウェイノード１６がそのターゲットＥ−ＣＧＩに対するサービングソース無線基地局１５に対してＸ２インタフェースを有していない場合には、ゲートウェイノード１６はＸ２インタフェースの確立を開始することができる。これがハンドオーバのトリガを実行するにはゆっくり過ぎる場合には、ゲートウェイノード１６は、ターゲット無線基地局１４に拒否を返送して、Ｓ１ＨＯが必要であることを示す。しかしながら、ゲートウェイノード１６は、Ｘ２インタフェースの確立をトリガしたハンドオーバのためにＸ２インタフェースが使用されないとしても、それでもＸ２インタフェースを確立しなければならない。
【００７７】
図４は、第１の実施形態を示す。ここではＸ２インタフェースを選択／確立する方法が開示される。この典型的な実施形態に従えば、ターゲット無線基地局１４は、Ｅ−ＣＧＩに加えて、そのＥ−ＣＧＩの性質に関する情報（マスク）もブロードキャストする。上記で述べたように、このマスクは、埋め込まれたゲートウェイノードＩＤに関して、Ｅ−ＣＧＩはどのように解釈されるべきであるかを判定することを可能にする情報を提供する。ＵＥ１３がソース無線基地局１５にＥ−ＣＧＩを報告する時には、ＵＥ１３はまた、ソース無線基地局１５に対してマスクを提供する。これによりソース無線基地局１５はゲートウェイノードＩＤを判定することが可能となり、ソース無線基地局１５は、ゲートウェイノードＩＰアドレスを検索した後に、正しいゲートウェイノード１６に対するＸ２インタフェースを確立することができる。
【００７８】
この解決策はまた、既に確立されたＸ２インタフェースの内から、正しいＸ２インタフェースを選択するためにも使用することができる。これは、ソース無線基地局１５において行うことができ（図５参照）、正しいノードに向かっての新しいＸ２インタフェースを確立するために使用することができる（図４参照）のに加えてということである。これらのステップは、以下で述べる順序で実行する必要はなく、任意の適切な順序で実行することができる。
【００７９】
ステップ４０１：ターゲット無線基地局１４は開始して、構成データ（例えば、システム情報の一部としてブロードキャストするマスクおよびＥ−ＣＧＩ）を取得する。
【００８０】
ステップ４０２：ターゲット無線基地局１４は、ターゲット無線基地局１４とゲートウェイノード１６との間のＳ１インタフェースを確立する。
【００８１】
ステップ４０３：ターゲット無線基地局１４は、ゲートウェイノード１６を介してネットワークに登録する。ターゲット無線基地局１４は、自分が聴くことができるマクロソース無線基地局１５および／またはマクロセルを報告することができる。
【００８２】
ステップ４０４：ターゲット無線基地局１４は、ターゲット無線基地局１４とゲートウェイノード１６との間のＸ２インタフェースを確立する。ターゲット無線基地局１４が聴いたマクロ無線基地局またはマクロセルをすでに報告している場合には、ゲートウェイノード１６は、報告されているマクロセルのソース無線基地局１５に対するＸ２の確立を、既にこの段階で率先して実行することができる（これは図４には示されていないが）。しかしながら、ソース無線基地局１５にＸ２インタフェース確立を制御させて、Ｘ２インタフェース確立が必要になる（すなわち、ハンドオーバ要求が受信される）まで待つことは、有利である可能性がある。これは、引き続く無線基地局が同一のマクロソース無線基地局１５を報告してくる場合に実行することが必要である可能性がある。待たない場合には、サービスが提供される適切なセルという点から考えると、Ｘ２は更新されてしまうからである。
【００８３】
ステップ４０５：ＵＥ１３はソース無線基地局１５がサービスを提供するマクロセルの中でアクティブである。
【００８４】
ステップ４０６：ターゲット無線基地局１４は、システム情報（ＳＩ）の一部として、マスクおよびＥ−ＣＧＩをブロードキャストする。マスクは、ターゲット無線基地局１４のＥ−ＣＧＩの内の何ビットを使用してゲートウェイノードのネットワークノードＩＤを導出するべきかを規定する。ＵＥ１３は、フェムトセルのブロードキャストの範囲の中に入って、ブロードキャストされたシステム情報を受信する。また物理セル識別子（ＰＣＩ）を受信することもできる。
【００８５】
ステップ４０７：ＵＥ１３は聴いたＥ−ＣＧＩおよびマスクをソース無線基地局１５に報告する。また、ＰＣＩを報告することもできる。このステップは複数のステップから構成することができるという点に注意するべきである。例えば、ＵＥ１３は最初にＰＣＩを報告し、その次ぎにＥ−ＣＧＩおよびマスクを別のステップで報告する。しかしこの詳細は本発明にとって重要ではない。
【００８６】
ステップ４０８：ソース無線基地局１５は、マスクを使用して、Ｅ−ＣＧＩの何ビットを使用してターゲット無線基地局１４のネットワークノードＩＤを見いだすべきかを判定する。この場合には、このネットワークノードＩＤは、本当にゲートウェイノード１６のネットワークノードＩＤであるべきである。ソース無線基地局１５は、ゲートウェイノード１６のネットワークノードＩＤ（すなわち、ゲートウェイノードＩＤ）を分解して、ＩＰアドレスを求める（例えば、ドメインネームシステム（ＤＮＳ）クエリを介してＤＮＳルックアップを実行することにより）。
【００８７】
ステップ４０９：ソース無線基地局１５は、ゲートウェイノード１６に対するＸ２インタフェースを確立することを試み、自分がサービスを提供するセルを報告する。これは例えば、ソース無線基地局識別子およびサービスが提供されるセルの識別子を備えるＸ２  ＳＥＴＵＰ  ＲＥＱＵＥＳＴを送信することにより行う。これは標準規格のＸ２インタフェース確立として実行することができ、これは、例えばストリーム制御伝送プロトコル（ＳＣＴＰ）接続の確立を含む。
【００８８】
ステップ４１０：ゲートウェイノード１６は、ゲートウェイノード１６に接続されていてソース無線基地局１５を聴いた無線基地局のＥ−ＣＧＩ、またはソース無線基地局１５がサービスを提供しているいずれかのマクロセルのＥ−ＣＧＩを収集する。ここで、ゲートウェイノード１６はオプションを有する。このオプションは、サービスを提供するセルに関する情報を、Ｘ２確立の間に交換する情報の中に（例えば、Ｘ２  ＳＥＴＵＰ  ＲＥＳＰＯＮＳＥメッセージの中に）含めるか、または含めないかである。ゲートウェイノード１６が、サービスを提供するセルに関する情報を含める場合には、ゲートウェイノード１６は、ソース無線基地局１５を報告した（例えば、ＮＷＬまたはＡＮＲに支援されて）無線基地局のフェムトセル、または、ソース無線基地局１５が、自分がサービスを提供するセルとして報告したいずれかのマクロセルを選択するであろう。ゲートウェイノード１６が、サービスを提供するいずれのセルをもソース無線基地局１５に報告しない場合には、ソース無線基地局１５は、ＵＥ１３から受信したマスクおよびＥ−ＣＧＩの両方を使用して、ゲートウェイノード１６がサービスを提供するフェムトセルの中へのハンドオーバに対して、正しいＸ２インタフェースを選択する必要がある。ゲートウェイノード１６が、サービスを提供するセルを実際に報告した場合には、ソース無線基地局１５は、ＵＥ１３から受信したＥ−ＣＧＩを使用することだけで正しいＸ２インタフェースを選択することができる。
【００８９】
ステップ４１１：ゲートウェイノード１６は、ステップ４１０において選択した内容（例えば、ゲートウェイノード１６のネットワークノード識別子および／またはターゲット無線基地局１４がサービスを提供するセル）を持つＸ２  ＳＥＴＵＰ  ＲＥＳＰＯＮＳＥをソース無線基地局１５に送信する。
【００９０】
ステップ４１２：ソース無線基地局１５は、ハンドオーバ要求をゲートウェイノード１６に送信する。このステップは、ソース無線基地局１５がどのようにＸ２インタフェースルーティング情報を使用して正しいＸ２インタフェースを選択することができるかを示す。ゲートウェイノード１６がステップ４１１において、サービスを提供するセルを報告した場合には、ソース無線基地局１５は、ＵＥ１３から受信したＥ−ＣＧＩを見ることにより、一致を見いだす。ゲートウェイノード１６が、ステップ４１１においてゲートウェイノード１６のネットワークノード識別子だけを報告した場合には、ソース無線基地局１５は、ＵＥ１３から受信したＥ−ＣＧＩおよびマスクの両方を使用して（すなわち、ステップ４０８と同様の様式で）検索したネットワークノード識別子の最長マッチを見いだすことによりマッチを見いだし、ＵＥ１３から受信したＥ−ＣＧＩの中のゲートウェイノード識別子を、Ｘ２インタフェースに関連したゲートウェイノード識別子にマッチさせることができる。
【００９１】
ステップ４１３：Ｘ２ハンドオーバシグナリングは、ゲートウェイノード１６がソース無線基地局１５とターゲット無線基地局１４との間でメッセージの中継を行うことで続行される。
【００９２】
図５は、マスクを使用する方法の典型的な実施形態を示す。これらのステップは、以下で述べる順序で実行する必要はなく、任意の適切な順序で実行することができる。この典型的な実施形態に従えば、ゲートウェイノード１６は、Ｘ２  ＳＥＴＵＰ  ＲＥＱＵＥＳＴの中で、そして、恐らくは、Ｘ２  ＳＥＴＵＰ  ＲＥＳＰＯＮＳＥの中でマスクを指示する。これは、どちらの側がＸ２インタフェースの確立をトリガしたかに依存している。
【００９３】
ソース無線基地局１５は、この情報を使用して、報告されたＥ−ＣＧＩのフェムトセルがどのゲートウェイノード１６に属するか、従って、フェムトセルにサービスを提供しているターゲット無線基地局１４と通信するために使用するべきＸ２インタフェースを、どのゲートウェイノード１６が既に確立しているかを判定することができる。しかしながら、この解決策はＸ２確立に対するゲートウェイノードアドレスを導出するために使用されない可能性があり、従って、このためには別のメカニズムが必要となる。
【００９４】
この解決策の主要な原理は、ゲートウェイノード１６は、ソース無線基地局１５に対して、ゲートウェイノード１６のネットワークノードＩＤとマスクとの両方に関する情報を、Ｘ２インタフェース確立の間に与えるというものである。この主要な原理ゆえに、この解決策は、ソース無線基地局１５において、既に確立されたＸ２インタフェースの中から正しいＸ２インタフェースを選択するためだけに使用することができる。この解決策はＸ２確立に対するトリガとしては使用すること、また、Ｘ２インタフェース確立の前にゲートウェイノードＩＤおよびゲートウェイノードＩＰアドレスを導出するために使用することはできない。これは、マスクはＸ２確立の間に最初にシグナリングされるからである。これはまた、Ｘ２インタフェースを確立するためには別のトリガが必要であるということを意味する。
【００９５】
以下のトリガは上記で記述した通りである。
・ゲートウェイノードからソース無線基地局１５に向かってのＸ２インタフェースの確立に対するトリガ（図５に示した）。
−ソース無線基地局１５からゲートウェイノード１６に向かってのＳ１に基づいたハンドオーバ（すなわち、ゲートウェイノードに接続されたＨｅＮＢの内の１つに本当に向けられたハンドオーバ）、
−ターゲット無線基地局１４の中のマクロネットワークの掃引、および／または、
−ターゲット無線基地局１４に接続されたＵＥ１３からのＡＮＲに関連した報告。
・ソース無線基地局１５からゲートウェイノード１６に向かってのＸ２インタフェースの確立に対するトリガ（図示せず）。
−ゲートウェイノードからソース無線基地局１５に向かってのＳ１に基づくハンドオーバ（すなわち、ゲートウェイノードに接続されたＨｅＮＢの内の１つから本当に行われるハンドオーバ）。
【００９６】
ターゲット無線基地局１４が自分のゲートウェイノード１６に接続する時には、ターゲット無線基地局１４はゲートウェイノード１６に向かって、自分のＸ２インタフェースを、インストール手順の一部として自動的に確立することができる。インストール手順の一部として、ターゲット無線基地局１４は、自分が聴くことができるマクロセルまたはマクロ無線基地局（例えば、ソース無線基地局１５）を報告することができる。マクロセルまたはマクロ無線基地局を聴くために、ターゲット無線基地局１４はＮＷＬを装備することができる。
【００９７】
図５はゲートウェイノード１６がＸ２インタフェース確立を開始する場合を示す。ソース無線基地局１５がこの確立を開始する場合は、マスクを求める場合と同一の原理を適用することができる。そして、この場合には、Ｘ２  ＳＥＴＵＰ  ＲＥＳＰＯＮＳＥは、ゲートウェイノード１６のネットワークノードＩＤとマスクとの両方を備えるであろう。
【００９８】
図４におけると同様に、ターゲット無線基地局１４は、検出したマクロセルまたはマクロ無線基地局をゲートウェイノード１６に対して報告することができる。また、ゲートウェイノード１６は、サービスを提供するフェムトセルとして選択したフェムトセルをソース無線基地局１５に報告することができる（しかし、これは図５には示していない）。
【００９９】
ステップ５０１：ターゲット無線基地局１４の自動設定を実行する。図５におけるステップ５０１は、図４におけるステップ４０１〜４０４に対応する。例えば、ターゲット無線基地局１４は、開始して、構成データ（例えば、マスクおよびＥ−ＣＧＩ）を取得し、システム情報の一部としてブロードキャストする。ターゲット無線基地局１４は、ターゲット無線基地局１４とゲートウェイノード１６との間のＳ１インタフェースを確立する。ターゲット無線基地局１４は、ゲートウェイノード１６を介してネットワークに登録する。ターゲット無線基地局１４は自分が聴くことができるマクロソース無線基地局１５を報告することができる。これは、Ｓ１確立手順に統合してＳ１確立と連携して実行することができるし、またはＳ１確立の後に実行することもできる。
【０１００】
ステップ５０２：ゲートウェイノード１６からは、Ｘ２確立に対して可能ないずれの起動も実行することができる。これは、例えば、Ｓ１に基づくハンドオーバ、ターゲット無線基地局１４の中のマクロネットワークの掃引（すなわちＮＷＬ）、および／またはターゲット無線基地局１４に接続されたＵＥ１３からのＡＮＲに関連する報告である。これに引き続いて、検出したマクロセルがゲートウェイノード１６に報告される。ここで使用される主要な情報は、Ｘ２インタフェースが確立されるべきソース無線基地局１５の識別子である。
【０１０１】
ステップ５０３：ゲートウェイノード１６は、ｅＮＢ−ＩＤに基づいてソース無線基地局１５のＩＰアドレスを解決する（例えばＤＮＳルックアップを実行することにより）。
【０１０２】
ステップ５０４：ゲートウェイノード１６は、Ｘ２  ＳＥＴＵＰ  ＲＥＱＵＥＳＴメッセージをソース無線基地局１５に送信することにより、ソース無線基地局１５に対するＸ２インタフェースの確立を開始する。このメッセージは、ゲートウェイノード１６のネットワークノードＩＤとマスクとを含む。マスクは、ＵＥ１３から後に受信するＥ−ＣＧＩから正しいネットワークノードＩＤを見いだすためにソース無線基地局１５が使用するべきものである。このステップはまた、標準規格のＸ２インタフェース確立を備え、例えばＳＣＴＰ接続の確立を含む。
【０１０３】
ステップ５０５：ソース無線基地局１５はＸ２  ＳＥＴＵＰ  ＲＥＳＰＯＮＳＥをゲートウェイノード１６に返送する。
【０１０４】
ステップ５０６：ソース無線基地局１５は、「Ｘ２インタフェースルーティングテーブル」を生成する。Ｘ２インタフェースルーティングテーブルは、確立されたＸ２インタフェースを持つゲートウェイノードの、関係するネットワークノード識別子を含むことができる。そしてソース無線基地局１５は、ソース無線基地局１５が後にＵＥ１３からＥ−ＣＧＩを受信したときに正しいＸ２インタフェースを見いだすことができる。
【０１０５】
図６はここで述べる実施形態を示す。図６は、１つの典型的な方法を示し、これは図４における方法の変形である。すなわち、Ｅ−ＣＧＩに対するマスクはターゲット無線基地局１４からブロードキャストされ、ＵＥ１３によってソース無線基地局１５に報告される。しかしながら、この場合には、ソース無線基地局１５は、この情報を使用して、Ｓ１ＡＰ  ＨＡＮＤＯＶＥＲ  ＲＥＱＵＩＲＥＤメッセージの中で、ターゲットゲートウェイノード１６のネットワークノードＩＤをアドレスする。このメッセージは次に、Ｓ１インタフェースを選択するために、必要に応じて、ソースＭＭＥ６１によってターゲットＭＭＥに転送される（すなわち、ソースＭＭＥおよびターゲットＭＭＥが１つかつ同一ではない場合には）。本方法は図６に示されている。
【０１０６】
ステップ６０１：図４に対して記述したステップ４０１〜４０７を実行する。例えば、ターゲット無線基地局１４の自動設定を実行し、Ｓ１インタフェースおよびＸ２インタフェースを設定する。ターゲットセル１１の中でＳＩ情報をブロードキャストし、ＵＥ１３はＳＩ情報の適切な部分を受信して報告する。
【０１０７】
ステップ６０２：ソース無線基地局１５は、マスクを使用してＥ−ＣＧＩの何ビットを使用してターゲットネットワークノードＩＤ（この場合には、ゲートウェイノード１６のネットワークノードＩＤでなければならない）を見いだすべきかを判定する。
【０１０８】
ステップ６０３：ソース無線基地局１５は、Ｓ１ＡＰ  ＨＡＮＤＯＶＥＲ  ＲＥＱＵＩＲＥＤメッセージを送信し、Ｓ１に基づくハンドオーバを開始する。ゲートウェイノード１６のネットワークノードＩＤは、Ｓ１ＡＰ  ＨＡＮＤＯＶＥＲ  ＲＥＱＵＩＲＥＤメッセージの中で「ターゲットＩＤ／ターゲットｅＮＢ−ＩＤ」として使用される。
【０１０９】
ステップ６０４：Ｓ１に基づくハンドオーバを続行する。
【０１１０】
ステップ６０５：ゲートウェイノード１６は、Ｓ１ＡＰ  ＨＡＮＤＯＶＥＲ  ＲＥＱＵＩＲＥＤメッセージの中で受信した情報に基づいて、Ｘ２インタフェースの確立を開始する（すなわち、Ｘ２  ＳＥＴＵＰ  ＲＥＱＵＥＳＴを正しいソース無線基地局１５に送信する）ことができる。このステップはまた、標準規格のＸ２インタフェース確立に従い、例えばＳＣＴＰ接続の確立を含む。
【０１１１】
ここで開示した解決策は、組み合わせてこれらを同時に使用することも可能である。
【０１１２】
図７〜図９は、典型的な実施形態に従って、マスクからどのようにしてゲートウェイノードＩＤを抽出することができるかを示した図である。示された３つの実施例は、ターゲット無線基地局識別子フィールド（すなわち、ＨｅＮＢ−ＩＤフィールド）の長さが異なる。
【０１１３】
図７は１つの実施例を示し、ここでは、Ｅ−ＣＧＩ７１はターゲット無線基地局識別子７１１（２７ビット長）と、セル識別子７１２を指示するために残された１ビットとを備える。ゲートウェイノード識別子７１３はＥ−ＣＧＩ７１の中に埋め込まれている。マスク７２は、Ｅ−ＣＧＩ７１からゲートウェイノード識別子７１３を抽出するために使用される。
【０１１４】
図８においては、ターゲット無線基地局識別子８１１は２８ビット長であり、セル識別子のためのビットは残されていない。言い換えれば、この実施例では、ターゲット無線基地局は単一のセルだけを扱うことができる。ゲートウェイノード識別子８１２はＥ−ＣＧＩ８１の中に埋め込まれている。マスク８２は、Ｅ−ＣＧＩ８１からゲートウェイノード識別子８１２を抽出するために使用される。
【０１１５】
図９では、ターゲット無線基地局識別子９１１は２０ビット長であり、残りの８ビットがセルＩＤ９１２を指示するために使用される。ゲートウェイノード識別子９１３はＥ−ＣＧＩ９１の中に埋め込まれる。マスク９２はＥ−ＣＧＩ９１からゲートウェイノード識別子９１３を抽出するために使用される。
【０１１６】
図７〜図９は実施例としてだけ示すものであり、Ｅ−ＣＧＩ、ターゲット無線基地局識別子、またはゲートウェイノード識別子の他の長さも排除されるものではないという点に注意するべきである。ここに示す解決策は、これらのフィールドの長さに拘わらず等しく適用可能である。
【０１１７】
ここではＬＴＥ無線通信ネットワークの中で実施例を挙げてあるが、本技術はまた、ＷＣＤＭＡ、ＵＭＴＳ、ＧＳＭネットワークにおいても実施することができる。ＷＣＤＭＡ等の場合には、Ｘ２インタフェースデはなくてＩｕｂ／Ｉｕｒインタフェースになる。
【０１１８】
ターゲット無線基地局（図の中ではターゲット無線基地局１４と呼んでいる）における本方法のステップは、いくつかの一般的な実施形態に従って、ユーザ装置１３に対する接続の、ソースセル１２からターゲットセル１１へのハンドオーバをターゲットセル識別子に関連して行うことを可能にするものであり、図１０に示したフローチャートを参照して以下に記述する。これらのステップは、以下で述べる順序で実行する必要はなく、任意の適切な順序で実行することができる。
【０１１９】
ソースセル１２はソース無線基地局１５によってサービスが提供され、ターゲットセル１１はターゲット無線基地局１４によってサービスが提供される。ターゲット無線基地局１４およびソース無線基地局１５は無線通信ネットワーク１００の中に備えられる。ターゲット無線基地局１４は、ネットワークノード識別子に関連したゲートウェイノード１６に接続されるよう適合される。ゲートウェイノード１６は、コアネットワーク１７に向かっておよびソース無線基地局１５に向かって、ターゲット無線基地局１４に対するプロキシとして動作する。
【０１２０】
ステップ１０１０：これは破線で示されているオプションのステップである。ターゲット無線基地局１４は、コアネットワーク１７から、またはゲートウェイノード１６から、または運用および保守ノード６１から構成データを受信する。構成データは、ターゲットセル識別子およびマスクを備える。
【０１２１】
ステップ１０２０：これは破線で示されているオプションのステップである。ターゲット無線基地局１４は、近隣セルを検出する。これは、ターゲット無線基地局１４の中に設備されたＮＷＬ機能またはＡＮＲ機能によって実行することができる。
【０１２２】
ステップ１０３０：これは破線で示されているオプションのステップである。ターゲット無線基地局は近隣セルの近隣セル識別子を導出する。
【０１２３】
ステップ１０４０：これは破線で示されているオプションのステップである。ターゲット無線基地局１４は近隣セル識別子をゲートウェイノード１６に報告する。この報告によって、ゲートウェイノード１６は、無線アクセスネットワークサブシステム間接続の確立を実行すること、および／または、その報告に基づいて、接続要求／応答メッセージの中に含まれる、サービスを提供するセルの数を限定することが可能になる。無線アクセスネットワークサブシステム間接続は、Ｘ２インタフェース、Ｉｕｒ／Ｉｕｂインタフェース、ａｂｉｓ／Ｉｕｒインタフェース等を備えることができる。
【０１２４】
ステップ１０５０：ターゲット無線基地局１４は、ターゲットセル１１の中で、ユーザ装置１３に対して、無線チャネルの上でターゲットセル識別子およびマスクを定期的にブロードキャストする。ターゲットセル識別子は、ゲートウェイノード１６のネットワークノード識別子を備え、ネットワークノード識別子は、ターゲットセル識別子の中に埋め込まれる。マスクはターゲットセル識別子からネットワークノード識別子を導出するために使用されるべきものである。
【０１２５】
ターゲットセル識別子は、ターゲットセル１１の進化型汎用地上無線アクセスネットワークセルグローバル識別子（Ｅ−ＣＧＩ）を備えることができる。
【０１２６】
マスクは、整数またはビット列のマスクの形で伝達することができる。
【０１２７】
本方法を実行するためにターゲット無線基地局が提供される。ターゲット無線基地局１４のブロック図を図１１に示す。ターゲット無線基地局１４は、ブロードキャストユニット１１０１を備え、ブロードキャストユニット１１０１は、ターゲットセル１１の中で、ユーザ装置１３に対して、無線チャネルの上でターゲットセル識別子およびマスクを定期的にブロードキャストするように構成される。ターゲットセル識別子は、ゲートウェイノード１６のネットワークノード識別子を備え、ネットワークノード識別子は、ターゲットセル識別子の中に埋め込まれる。そしてマスクは、ターゲットセル識別子からネットワークノード識別子を導出するために使用されるべきものである。
【０１２８】
ターゲット無線基地局１４は、受信ユニット１１０２を備えることができる。受信ユニット１１０２は、コアネットワーク１７から、またはゲートウェイノード１６から、または運用および保守ノード６１から、構成データを受信するように構成される。構成データは、ターゲットセル識別子およびマスクを備える。
【０１２９】
さらに、ターゲット無線基地局１４は、検出ユニット１１０３を備えることができる。検出ユニット１１０３は、近隣セルを検出するように構成される。これはターゲット無線基地局１４の中に設備されたＮＷＬ機能またはＡＮＲ機能によって実行することができる。
【０１３０】
ターゲット無線基地局はまた、導出ユニット１１０４を備えることができる。導出ユニット１１０４は近隣セルの近隣セル識別子を導出するように構成される。ターゲット無線基地局１４は、報告ユニット１１０５を更に備えることができる。報告ユニット１１０５は近隣セル識別子をゲートウェイノード１６に報告するように構成される。この報告によって、ゲートウェイノード１６は、無線アクセスネットワークサブシステム間接続の確立を実行すること、および／または、その報告に基づいて、接続要求／応答メッセージの中に含まれる、サービスを提供するセルの数を限定することが可能になる。無線アクセスネットワークサブシステム間接続は、Ｘ２インタフェース、Ｉｕｒ／Ｉｕｂインタフェース、ａｂｉｓ／Ｉｕｒインタフェース等を備えることができる。
【０１３１】
ユーザ装置（図の中ではユーザ装置１３と呼んでいる）における本方法のステップは、いくつかの一般的な実施形態に従って、ユーザ装置１３に対する接続の、ソースセル１２からターゲットセル識別子に関連するターゲットセル１１へのハンドオーバを行うことを可能にするものであり、図１２に示したフローチャートを参照して以下に記述する。これらのステップは、以下で述べる順序で実行する必要はなく、任意の適切な順序で実行することができる。
【０１３２】
ステップ１２１０：ユーザ装置１３は、ターゲットセル１１の中に無線チャネルの上でターゲット無線基地局１４からブロードキャストされたターゲットセル識別子およびマスクを受信する。ターゲットセル識別子は、ゲートウェイノード１６のネットワークノード識別子を備え、ネットワークノード識別子は、ターゲットセル識別子の中に埋め込まれる。マスクはターゲットセル識別子からネットワークノード識別子を導出するために使用されるべきものである。
【０１３３】
これはユーザ装置のＡＮＲ処理の間に実行することができる。
【０１３４】
ステップ１２２０：ユーザ装置１３は、ターゲットセル識別子およびマスクをソース無線基地局１５に送信し、それにより、ソース無線基地局１５はターゲット無線基地局１４が属するゲートウェイノード１６を識別することが可能になる。
【０１３５】
本方法を実行するためにユーザ装置が提供される。図１３には、ユーザ装置１３をブロック図で示す。
【０１３６】
ユーザ装置１３は、受信ユニット１３０１を備える。受信ユニット１３０１は、ターゲットセル１１の中に無線チャネルの上でターゲット無線基地局１４からブロードキャストされたターゲットセル識別子およびマスクを受信するように構成される。ターゲットセル識別子は、ゲートウェイノード１６のネットワークノード識別子を備え、ネットワークノード識別子は、ターゲットセル識別子の中に埋め込まれる。そしてマスクは、ターゲットセル識別子からネットワークノード識別子を導出するために使用されるべきものである。さらに、ユーザ装置１３は送信ユニット１３０２を備える。送信ユニット１３０２は、ターゲットセル識別子およびマスクをソース無線基地局１５に送信するように構成される。これにより、ソース無線基地局１５はターゲット無線基地局１４が属するゲートウェイノード１６を識別することが可能になる。
【０１３７】
ユーザ装置１３は処理ユニット１３０３を更に備えることができ、処理ユニット１３０３は受信したシステム情報を処理するように構成される。ユーザ装置１３はメモリユニット１３０４を更に備えることができ、メモリユニット１３０４の上にデータを記憶する。
【０１３８】
ソース無線基地局（図の中ではソース無線基地局１５と呼んでいる）における本方法のステップは、いくつかの一般的な実施形態に従って、ユーザ装置１３に対する接続の、ソースセル１２からターゲットセル識別子に関連するターゲットセル１１へのハンドオーバを開始するものであり、図１４に示したフローチャートを参照して以下に記述する。これらのステップは、以下で述べる順序で実行する必要はなく、任意の適切な順序で実行することができる。
【０１３９】
ステップ１４１０：ソース無線基地局１５は、無線チャネルの上でユーザ装置１３からターゲットセル識別子およびマスクを受信する。ターゲットセル識別子は、ゲートウェイノード１６のネットワークノード識別子を備え、ネットワークノード識別子はターゲットセル識別子の中に埋め込まれる。そしてマスクは、ターゲットセル識別子からネットワークノード識別子を導出するために使用されるべきものである。
【０１４０】
ステップ１４２０：ソース無線基地局１５は、マスクを使用して、ターゲットセル識別子の中に埋め込まれたネットワークノード識別子を導出する。
【０１４１】
ステップ１４３０：ソース無線基地局１５は、導出したネットワークノード識別子に基づいて、ユーザ装置１３に対する接続の、ソースセル１２からターゲットセル１１へのハンドオーバを開始する。いくつかの実施形態においては、開始するステップは、コアネットワークノードにハンドオーバ要求を送信するステップを備え、このメッセージは、要求するターゲット識別子であるネットワークノード識別子を備える。
【０１４２】
ステップ１４４０：これは破線で示されているオプションのステップである。ソース無線基地局１５は導出したネットワークノード識別子を使用してゲートウェイノード１６に接続する。
【０１４３】
ステップ１４４２：これは破線で示されているオプションのステップである。ソース無線基地局１５はゲートウェイノード１６に対する無線アクセスネットワークサブシステム間接続を確立する。このステップは、ネットワークノード識別子を無線アクセスネットワークサブシステム間接続に関連づけるステップを更に備えることができる。
【０１４４】
ステップ１４４３：これは破線で示されているオプションのステップである。ソース無線基地局１５はターゲットセル１１の近隣セルの近隣セル識別子をゲートウェイノード１６から受信する。
【０１４５】
ステップ１４４４：これは破線で示されているオプションのステップである。ソース無線基地局１５は近隣セル識別子を無線アクセスネットワークサブシステム間接続に関連づける。
【０１４６】
ステップ１４４５：これは破線で示されているオプションのステップである。ソース無線基地局はゲートウェイノード１６に対して以前に確立した無線アクセスネットワークサブシステム間接続を選択する。
【０１４７】
ステップ１４４６：これは破線で示されているオプションのステップである。ソース無線基地局は、以前に確立した無線アクセスネットワークサブシステム間接続に関連した以前のネットワークノード識別子をこのネットワークノード識別子とマッチさせる。これはユーザ装置１３から受信したターゲットセル識別子とマスクとの両方を使用してネットワークノード識別子の最長マッチを見いだすことにより行う。
【０１４８】
ステップ１４４７：これは破線で示されているオプションのステップである。以前のセル識別子は、以前に確立した無線アクセスネットワークサブシステム間接続と関連づけることができる。ソース無線基地局１５は、ユーザ装置１３から受信したターゲットセル識別子を、以前に確立した無線アクセスネットワークサブシステム接続に関連した以前のセル識別子とマッチさせる。
【０１４９】
ソース無線基地局は、クエリに応答して、ネットワークノード識別子から解決したゲートウェイノードのＩＰアドレスを、ドメインネームシステムから検索することができる。このＩＰアドレスは無線アクセスネットワークサブシステム間接続を確立するために使用される。
【０１５０】
無線アクセスネットワークサブシステム間接続は、Ｘ２インタフェース、Ｉｕｂ／Ｉｕｒインタフェース等を備えることができる。
【０１５１】
本方法を実行するためにソース無線基地局が提供される。図１５はソース無線基地局（またｅＮＢ１５とも呼ばれる）のブロック図を示す。ソース無線基地局は受信ユニット１５０１を備える。受信ユニット１５０１は、無線チャネルの上でユーザ装置１３から、ターゲットセル識別子およびマスクを受信するように構成される。ターゲットセル識別子は、ゲートウェイノード１６のネットワークノード識別子を備え、ネットワークノード識別子はターゲットセル識別子の中に埋め込まれる。そしてマスクは、ターゲットセル識別子からネットワークノード識別子を導出するために使用されるべきものである。さらに、ソース無線基地局１５は導出ユニット１５０２を備える。導出ユニット１５０２は、マスクを使用して、ターゲットセル識別子の中に埋め込まれたネットワークノード識別子を導出するように構成される。さらに、ソース無線基地局は、開始ユニット１５０３を備える。開始ユニット１５０３は、導出したネットワークノード識別子に基づいて、ユーザ装置１３への接続の、ソースセル１２からターゲットセル１１へのハンドオーバを開始するように構成される。さらに、ソース無線基地局はメモリユニット１５０４を備えることができる。メモリユニット１５０４は、マスク、ネットワークノード識別子等のデータを、メモリユニットの中に記憶した形で有するように構成される。
【０１５２】
ゲートウェイノード１６アドレッシングに対する本メカニズムは、本解決策の機能を実行するためのコンピュータプログラムコードとともに、１つ以上のプロセッサを通して実施することができる。ここで述べたプログラムコードはまた、例えば、データキャリアの形のコンピュータプログラムとして提供されてもよく、この場合データキャリアは、それが本発明によるネットワークノードに搭載された場合には、本解決策を実行するためのコンピュータプログラムコードを搬送するものである。このようなキャリアの１つは、ＣＤ−ＲＯＭディスクの形でもよい。しかしながら、メモリスティック等の他のデータキャリアも使用することができる。コンピュータプログラムコードはさらに、サーバの上の純粋なプログラムコードとして提供することもでき、本発明によるネットワークノードに、遠方からダウンロードすることもできる。
【０１５３】
本発明の実施形態はまた、ネットワークの中のノード（例えば、マクロｅＮＢ）がターゲットノード識別子（例えば、ＨｅＮＢ  ＧＷのｅＮＢ−ＩＤ）を、その識別子を判定するノードの中にいずれの設定も行わずに、Ｅ−ＣＧＩから判定することができる方法を提供する実施形態として記述することもできる。主要な原理は、ターゲットノード識別子を判定するノードに対して、Ｅ−ＣＧＩとともにマスクも提供するということである。このマスクは、この特定のフェムトセルのＨｅＮＢが接続されているＨｅＮＢ  ＧＷを識別するために使用する、Ｅ−ＣＧＩのビット数を示すものであるだろう。
【０１５４】
従って、この情報は、例えば以下の解決策の中で使用することができる。
（ａ）マクロｅＮＢが正しいＨｅＮＢ  ＧＷに対するＸ２インタフェースを確立するための解決策、
（ｂ）既に確立したＸ２インタフェースの内から、マクロｅＮＢが正しいＸ２インタフェースを選択するための解決策、
（ｃ）既に確立したＳ１インタフェースの内から、ＭＭＥが正しいＳ１インタフェースを選択するための解決策。
【０１５５】
３ＧＰＰでは現在は、ＨｅＮＢおよびＨｅＮＢ  ＧＷに関連してＸ２インタフェースは使用しないであろうとしているが、将来、ＨｅＮＢに関連するハンドオーバに対してＸ２を使用する必要があると判明する可能性が高く、これは、Ｘ２インタフェースを使用しないとすれば、増加するシグナリング負荷および処理負荷がＭＭＥに課せられると考えられるからである、という点に注意するべきである。
【０１５６】
マスク情報はターゲット識別子を判定するソース無線基地局１５に伝達される。従って、マスク情報は、Ｅ−ＣＧＩと一緒にシステム情報の中でブロードキャストされる。ＵＥ１３はＥ−ＣＧＩおよびマスクの両方をソース無線基地局１５に報告する。従ってこの情報は上記の全ての場合（ａ）、（ｂ）、（ｃ）で使用することができる。１つの変形として、「主要ノードマスク」もまた、ゲートウェイノード１６からソース無線基地局１５に対して報告することができる。
【０１５７】
図面および明細書の中では、本発明の典型的な実施形態が開示された。しかしながら、これらの実施形態に対して多くの変形および変更を行うことが可能であり、これらは、実質的に本発明の原理から逸脱するものではない。従って、具体的な用語を使用したが、これらは一般的かつ記述的意味のみで使用されたものであり、限定の目的で使用されてはいない。本発明の範囲は以下の特許請求の範囲によって画定される。
【０１５８】
特に、この開示の中では３ＧＰＰのＬＴＥ／ＳＡＥに特定した用語を使用しているが、本発明はこのようなシステムに限定されるものではなく、本発明は、ノードの柔軟なアドレッシングで利益を受けることができる他の無線システムに対しても等しく適用可能であるという点に注意するべきである。本開示を通して、「備える（comprise）」または「備えている（comprising）」という用語を使用するときには、限定的な意味でない（すなわち、「構成要素として少なくとも含む（consist at least of）」ということを意味する）と解釈されるべきである。
【図１】
0005340397.tif 000002
【図２】
0005340397.tif 000003
【図３】
0005340397.tif 000004
【図４】
0005340397.tif 000005
【図５】
0005340397.tif 000006
【図６】
0005340397.tif 000007
【図７】
0005340397.tif 000008
【図８】
0005340397.tif 000009
【図９】
0005340397.tif 000010
【図１０】
0005340397.tif 000011
【図１１】
0005340397.tif 000012
【図１２】
0005340397.tif 000013
【図１３】
0005340397.tif 000014
【図１４】
0005340397.tif 000015
【図１５】
0005340397.tif 000016